(57)【要約】  本願の実施形態は、マルチアクセスシナリオにおけるマルチアクセスリンクのサービス品質を監視するサービス品質監視方法及びシステム、並びに装置を提供する。当該方法は、通信装置により、端末のサービスフローの識別子、前記サービスフローと第１フロー分割リンクの第１フロー分割リンク相関情報とを伝送する前記第１フロー分割リンクの第１サービス品質監視パラメータ、及び前記サービスフローと第２フロー分割リンクの第２フロー分割リンク相関情報とを伝送する前記第２フロー分割リンクの第２サービス品質監視パラメータ、を取得するステップと、前記通信装置により、前記サービスフローの前記識別子、前記第１サービス品質監視パラメータ、前記第１フロー分割リンク相関情報、前記第２サービス品質監視パラメータ、及び前記第２フロー分割リンク相関情報に基づき、前記第１フロー分割リンクに対応する第１サービス品質監視コネクション及び前記第２フロー分割リンクに対応する第２サービス品質監視コネクションの確立を開始するステップと、を含む。
2021524204.tif 000002
【特許請求の範囲】
【請求項１】
サービス品質監視方法であって、前記方法は、
通信装置により、端末のサービスフローの識別子、前記サービスフローと第１フロー分割リンクの第１フロー分割リンク相関情報とを伝送する前記第１フロー分割リンクの第１サービス品質監視パラメータ、及び前記サービスフローと第２フロー分割リンクの第２フロー分割リンク相関情報とを伝送する前記第２フロー分割リンクの第２サービス品質監視パラメータ、を取得するステップと、
前記通信装置により、前記サービスフローの前記識別子、前記第１サービス品質監視パラメータ、前記第１フロー分割リンク相関情報、前記第２サービス品質監視パラメータ、及び前記第２フロー分割リンク相関情報に基づき、前記第１フロー分割リンクに対応する第１サービス品質監視コネクション及び前記第２フロー分割リンクに対応する第２サービス品質監視コネクションの確立を開始するステップと、
を含む方法。
【請求項２】
前記第１フロー分割リンク相関情報は、前記第１サービス品質監視パラメータが前記第１フロー分割リンクのサービス品質を監視するために使用されることを識別するために使用される情報であり、前記第２フロー分割リンク相関情報は、前記第２サービス品質監視パラメータが前記第２フロー分割リンクのサービス品質を監視するために使用されることを識別するために使用される情報である、請求項１に記載の方法。
【請求項３】
前記第１フロー分割リンク相関情報は、前記第１フロー分割リンクに対応する第１アクセスタイプ、前記第１フロー分割リンクに対応する第１セッション識別子、前記第１フロー分割リンクに対応する第１トンネル識別子、又は前記第１フロー分割リンクに対応する第１監視識別子、のうちの少なくとも１つを含み、
前記第２フロー分割リンク相関情報は、前記第２フロー分割リンクに対応する第２アクセスタイプ、前記第２フロー分割リンクに対応する第２セッション識別子、前記第２フロー分割リンクに対応する第２トンネル識別子、又は前記第２フロー分割リンクに対応する第２監視識別子、のうちの少なくとも１つを含む、請求項１又は２に記載の方法。
【請求項４】
前記通信装置は、セッション管理ネットワーク要素、ユーザプレーン機能ネットワーク要素、又は前記端末を含む、請求項１〜３のいずれか一項に記載の方法。
【請求項５】
前記通信装置は、前記セッション管理ネットワーク要素であり、
相応して、通信装置により、端末のサービスフローの識別子を取得する前記ステップは、
前記セッション管理ネットワーク要素により、ポリシ制御ネットワーク要素から、第１メッセージを受信するステップであって、前記第１メッセージは、前記サービスフローの前記識別子と、前記サービスフローの前記識別子に対応するフロー分割ポリシと、を運び、前記フロー分割ポリシは、前記サービスフローが前記第１フロー分割リンク及び前記第２フロー分割リンクに分割可能であることを示すために使用される、ステップを含み、
通信装置により、前記第１フロー分割リンクの第１フロー分割リンク相関情報、及び前記第２フロー分割リンクの第２フロー分割リンク相関情報を取得する前記ステップは、
前記セッション管理ネットワーク要素により、前記第１フロー分割リンクの前記第１フロー分割リンク相関情報、及び前記第２フロー分割リンクの前記第２フロー分割リンク相関情報を決定するステップを含む、請求項４に記載の方法。
【請求項６】
前記通信装置は、前記セッション管理ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記セッション管理ネットワーク要素により、前記サービスフローの前記識別子、前記第１サービス品質監視パラメータ、前記第１フロー分割リンク相関情報、前記第２サービス品質監視パラメータ、前記第２フロー分割リンク相関情報を、ユーザプレーン機能ネットワーク要素へ送信するステップ、又は、
前記セッション管理ネットワーク要素により、前記サービスフローの前記識別子、前記第１サービス品質監視パラメータ、前記第１フロー分割リンク相関情報、前記第２サービス品質監視パラメータ、前記第２フロー分割リンク相関情報を、前記第１フロー分割リンクに対応する第１アクセス装置又は前記第２フロー分割リンクに対応する第２アクセス装置を使用することにより、前記端末へ送信するステップであって、前記サービスフローの前記識別子、前記第１サービス品質監視パラメータ、及び前記第１フロー分割リンク相関情報は、前記第１フロー分割リンクの前記サービス品質を監視するために使用され、前記サービスフローの前記識別子、前記第２サービス品質監視パラメータ、及び前記第２フロー分割リンク相関情報は、前記第２フロー分割リンクの前記サービス品質を監視するために使用される、ステップ、
を含む、請求項４又は５に記載の方法。
【請求項７】
前記通信装置は、前記セッション管理ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記セッション管理ネットワーク要素により、前記サービスフローの前記識別子、前記第１サービス品質監視パラメータ、前記第１フロー分割リンク相関情報、前記第２サービス品質監視パラメータ、前記第２フロー分割リンク相関情報を、ユーザプレーン機能ネットワーク要素へ送信するステップであって、前記サービスフローの前記識別子、前記第１サービス品質監視パラメータ、及び前記第１フロー分割リンク相関情報は、前記第１フロー分割リンクの前記サービス品質を監視するために使用され、前記サービスフローの前記識別子、前記第２サービス品質監視パラメータ、及び前記第２フロー分割リンク相関情報は、前記第２フロー分割リンクの前記サービス品質を監視するために使用される、ステップ、又は、
前記セッション管理ネットワーク要素により、前記サービスフローの前記識別子、及び前記第１サービス品質監視パラメータを、前記端末へ、前記第１フロー分割リンク相関情報に基づき、前記第１フロー分割リンクに対応する第１アクセス装置を使用することにより、送信するステップであって、前記サービスフローの前記識別子及び前記第１サービス品質監視パラメータは、前記第１フロー分割リンクの前記サービス品質を監視するために使用される、ステップ、及び、
前記セッション管理ネットワーク要素により、前記サービスフローの前記識別子、及び前記第２サービス品質監視パラメータを、前記端末へ、前記第２フロー分割リンク相関情報に基づき、前記第２フロー分割リンクに対応する第２アクセス装置を使用することにより、送信するステップであって、前記サービスフローの前記識別子及び前記第２サービス品質監視パラメータは、前記第２フロー分割リンクの前記サービス品質を監視するために使用される、ステップ、
を含む、請求項４又は５に記載の方法。
【請求項８】
前記通信装置は、前記端末又は前記ユーザプレーン機能ネットワーク要素を含み、
相応して、通信装置により、端末のサービスフローの識別子を取得する前記ステップは、
前記端末又は前記ユーザプレーン機能ネットワーク要素により、セッション管理ネットワーク要素から、第２メッセージを受信するステップであって、前記第２メッセージは、前記サービスフローの前記識別子と、前記サービスフローの前記識別子に対応するフロー分割ポリシと、を運び、前記フロー分割ポリシは、前記サービスフローが前記第１フロー分割リンク及び前記第２フロー分割リンクに分割可能であることを示すために使用される、ステップを含み、
通信装置により、前記第１フロー分割リンクの第１フロー分割リンク相関情報、及び前記第２フロー分割リンクの第２フロー分割リンク相関情報を取得する前記ステップは、
前記端末又は前記ユーザプレーン機能ネットワーク要素により、前記第１フロー分割リンクの前記第１フロー分割リンク相関情報、及び前記第２フロー分割リンクの前記第２フロー分割リンク相関情報を決定するステップを含む、請求項４に記載の方法。
【請求項９】
前記通信装置は、前記ユーザプレーン機能ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記ユーザプレーン機能ネットワーク要素により、前記サービスフローの前記識別子、前記第１サービス品質監視パラメータ、前記第１フロー分割リンク相関情報、前記第２サービス品質監視パラメータ、前記第２フロー分割リンク相関情報を、前記端末へ、前記第１フロー分割リンクに対応する第１アクセス装置又は前記第２フロー分割リンクに対応する第２アクセス装置を使用することにより、送信するステップであって、前記サービスフローの前記識別子、前記第１サービス品質監視パラメータ、及び前記第１フロー分割リンク相関情報は、前記第１フロー分割リンクの前記サービス品質を監視するために使用され、前記サービスフローの前記識別子、前記第２サービス品質監視パラメータ、及び前記第２フロー分割リンク相関情報は、前記第２フロー分割リンクの前記サービス品質を監視するために使用される、ステップ、
を含む、請求項４又は８に記載の方法。
【請求項１０】
前記通信装置は、前記ユーザプレーン機能ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記ユーザプレーン機能ネットワーク要素により、前記サービスフローの前記識別子、及び前記第１サービス品質監視パラメータを、前記端末へ、前記第１フロー分割リンク相関情報に基づき、前記第１フロー分割リンクに対応する第１アクセス装置を使用することにより、送信するステップであって、前記サービスフローの前記識別子及び前記第１サービス品質監視パラメータは、前記第１フロー分割リンクの前記サービス品質を監視するために使用される、ステップと、
前記ユーザプレーン機能ネットワーク要素により、前記サービスフローの前記識別子、及び前記第２サービス品質監視パラメータを、前記端末へ、前記第２フロー分割リンク相関情報に基づき、前記第２フロー分割リンクに対応する第２アクセス装置を使用することにより、送信するステップであって、前記サービスフローの前記識別子及び前記第２サービス品質監視パラメータは、前記第２フロー分割リンクの前記サービス品質を監視するために使用される、ステップと、
を含む、請求項４又は８に記載の方法。
【請求項１１】
前記通信装置は、前記端末であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記端末により、前記サービスフローの前記識別子、前記第１サービス品質監視パラメータ、前記第１フロー分割リンク相関情報、前記第２サービス品質監視パラメータ、前記第２フロー分割リンク相関情報を、ユーザプレーン機能ネットワーク要素へ、前記第１フロー分割リンクに対応する第１アクセス装置又は前記第２フロー分割リンクに対応する第２アクセス装置を使用することにより、送信するステップであって、前記サービスフローの前記識別子、前記第１サービス品質監視パラメータ、及び前記第１フロー分割リンク相関情報は、前記第１フロー分割リンクの前記サービス品質を監視するために使用され、前記サービスフローの前記識別子、前記第２サービス品質監視パラメータ、及び前記第２フロー分割リンク相関情報は、前記第２フロー分割リンクの前記サービス品質を監視するために使用される、ステップ、
を含む、請求項４又は８に記載の方法。
【請求項１２】
前記通信装置は、前記端末であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記端末により、前記サービスフローの前記識別子、及び前記第１サービス品質監視パラメータを、前記ユーザプレーン機能ネットワーク要素へ、前記第１フロー分割リンク相関情報に基づき、前記第１フロー分割リンクに対応する第１アクセス装置を使用することにより、送信するステップであって、前記サービスフローの前記識別子及び前記第１サービス品質監視パラメータは、前記第１フロー分割リンクの前記サービス品質を監視するために使用される、ステップと、
前記端末により、前記サービスフローの前記識別子、及び前記第２サービス品質監視パラメータを、前記ユーザプレーン機能ネットワーク要素へ、前記第２フロー分割リンク相関情報に基づき、前記第２フロー分割リンクに対応する第２アクセス装置を使用することにより、送信するステップであって、前記サービスフローの前記識別子及び前記第２サービス品質監視パラメータは、前記第２フロー分割リンクの前記サービス品質を監視するために使用される、ステップと、
を含む、請求項４又は８に記載の方法。
【請求項１３】
サービス品質監視方法であって、前記方法は、
第１パケット処理装置により、端末のサービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得するステップと、
前記第１パケット処理装置により、前記サービスフローの前記識別子、前記第１サービス品質監視パラメータ、及び前記第１フロー分割リンク相関情報を相関するステップと、
前記第１パケット処理装置により、前記サービスフローの前記識別子、前記第２サービス品質監視パラメータ、及び前記第２フロー分割リンク相関情報を相関するステップと、
を含む方法。
【請求項１４】
前記第１パケット処理装置は、前記端末又はユーザプレーン機能ネットワーク要素を含む、請求項１３に記載の方法。
【請求項１５】
第１パケット処理装置により、サービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得する前記ステップは、
前記第１パケット処理装置により、前記サービスフローの前記識別子、前記第１サービス品質監視パラメータ、前記第１フロー分割リンク相関情報、前記第２サービス品質監視パラメータ、及び前記第２フロー分割リンク相関情報を、セッション管理ネットワーク要素から、受信するステップ、又は、
前記第１パケット処理装置により、前記サービスフローの前記識別子、前記第１サービス品質監視パラメータ、前記第１フロー分割リンク相関情報、前記第２サービス品質監視パラメータ、及び前記第２フロー分割リンク相関情報を、第２パケット処理装置から、前記第１フロー分割リンクに対応する第１アクセス装置又は前記第２フロー分割リンクに対応する第２アクセス装置を使用することにより、受信するステップ、又は、
前記第１パケット処理装置により、前記サービスフローの前記識別子、及び前記第１サービス品質監視パラメータを、第２パケット処理装置から、前記第１フロー分割リンクに対応する第１アクセス装置を使用することにより、受信し、前記第１フロー分割リンク相関情報を、前記第１アクセス装置に関する情報に基づき決定し、並びに、前記第１パケット処理装置により、前記サービスフローの前記識別子、及び前記第２サービス品質監視パラメータを、前記第２パケット処理装置から、前記第２フロー分割リンクに対応する第２アクセス装置を使用することにより、受信し、前記第２フロー分割リンク相関情報を、前記第２アクセス装置に関する情報に基づき決定するステップ、
を含む、請求項１３又は１４に記載の方法。
【請求項１６】
前記第１パケット処理装置により、前記サービスフローの前記識別子、前記第１サービス品質監視パラメータ、及び前記第１フロー分割リンク相関情報を相関する前記ステップは、
前記第１パケット処理装置により、前記サービスフローの前記識別子、前記第１サービス品質監視パラメータ、及び前記第１フロー分割リンク相関情報の間の対応を格納するステップを含み、
前記第１パケット処理装置により、前記サービスフローの前記識別子、前記第２サービス品質監視パラメータ、及び前記第２フロー分割リンク相関情報を相関する前記ステップは、
前記第１パケット処理装置により、前記サービスフローの前記識別子、前記第２サービス品質監視パラメータ、及び前記第２フロー分割リンク相関情報の間の対応を格納するステップを含む、
請求項１３〜１５のいずれか一項に記載の方法。
【請求項１７】
前記方法は、
前記第１パケット処理装置により、前記第１フロー分割リンクのサービス品質を、前記サービスフローの前記識別子、前記第１サービス品質監視パラメータ、及び前記第１フロー分割リンク相関情報に基づき監視するステップ、又は、
前記第１パケット処理装置により、前記第２フロー分割リンクのサービス品質を、前記サービスフローの前記識別子、前記第２サービス品質監視パラメータ、及び前記第２フロー分割リンク相関情報に基づき監視するステップ、
を更に含む請求項１３〜１６のいずれか一項に記載の方法。
【請求項１８】
通信装置であって、前記通信装置は、処理モジュールとトランシーバモジュールとを含み、
前記処理モジュールは、端末のサービスフローの識別子、前記サービスフローと第１フロー分割リンクの第１フロー分割リンク相関情報とを伝送する前記第１フロー分割リンクの第１サービス品質監視パラメータ、及び前記サービスフローと第２フロー分割リンクの第２フロー分割リンク相関情報とを伝送する前記第２フロー分割リンクの第２サービス品質監視パラメータ、を取得するよう構成され、
前記トランシーバモジュールは、前記サービスフローの前記識別子、前記第１サービス品質監視パラメータ、前記第１１フロー分割リンク相関情報、前記第２サービス品質監視パラメータ、及び前記第２フロー分割リンク相関情報に基づき、前記第１フロー分割リンクに対応する第１サービス品質監視コネクション及び前記第２フロー分割リンクに対応する第２サービス品質監視コネクションの確立を開始するよう構成される、
通信装置。
【請求項１９】
前記通信装置は、前記セッション管理ネットワーク要素であり、
相応して、前記処理モジュールが、端末のサービスフローの識別子を取得するよう構成されることは、ポリシ制御ネットワーク要素から、第１メッセージを受信することを含み、前記第１メッセージは、前記サービスフローの前記識別子と、前記サービスフローの前記識別子に対応するフロー分割ポリシと、を運び、前記フロー分割ポリシは、前記サービスフローが前記第１フロー分割リンク及び前記第２フロー分割リンクに分割可能であることを示すために使用され、
前記処理モジュールが、前記第１フロー分割リンクの第１フロー分割リンク相関情報、及び前記第２フロー分割リンクの第２フロー分割リンク相関情報を取得するよう構成されることは、前記第１フロー分割リンクの前記第１フロー分割リンク相関情報、及び前記第２フロー分割リンクの前記第２フロー分割リンク相関情報を決定することを含む、請求項１８に記載の通信装置。
【請求項２０】
前記通信装置は、前記セッション管理ネットワーク要素であり、
前記トランシーバモジュールは、具体的に、前記サービスフローの前記識別子、前記第１サービス品質監視パラメータ、前記第１フロー分割リンク相関情報、前記第２サービス品質監視パラメータ、前記第２フロー分割リンク相関情報を、ユーザプレーン機能ネットワーク要素へ送信するよう構成される、又は、
前記トランシーバモジュールは、具体的に、前記サービスフローの前記識別子、前記第１サービス品質監視パラメータ、前記第１フロー分割リンク相関情報、前記第２サービス品質監視パラメータ、前記第２フロー分割リンク相関情報を、前記端末へ、前記第１フロー分割リンクに対応する第１アクセス装置又は前記第２フロー分割リンクに対応する第２アクセス装置を使用することにより、送信するよう構成され、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、請求項１９に記載の通信装置。
【請求項２１】
前記通信装置は、前記セッション管理ネットワーク要素であり、
前記トランシーバモジュールは、具体的に、前記サービスフローの前記識別子、前記第１サービス品質監視パラメータ、前記第１フロー分割リンク相関情報、前記第２サービス品質監視パラメータ、前記第２フロー分割リンク相関情報を、ユーザプレーン機能ネットワーク要素へ送信するよう構成され、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、又は、
前記トランシーバモジュールは、具体的に、前記サービスフローの前記識別子、及び前記第１サービス品質監視パラメータを、前記端末へ、前記第１フロー分割リンク相関情報に基づき、前記第１フロー分割リンクに対応する第１アクセス装置を使用することにより、送信し、前記サービスフローの前記識別子及び前記第１サービス品質監視パラメータは、前記第１フロー分割リンクのサービス品質を監視するために使用され、前記サービスフローの前記識別子、及び前記第２サービス品質監視パラメータを、前記端末へ、前記第２フロー分割リンク相関情報に基づき、前記第２フロー分割リンクに対応する第２アクセス装置を使用することにより、送信し、前記サービスフローの前記識別子及び前記第２サービス品質監視パラメータは、前記第２フロー分割リンクのサービス品質を監視するために使用される、よう構成される、請求項１９に記載の通信装置。
【請求項２２】
前記通信装置は、前記端末又はユーザプレーン機能ネットワーク要素であり、
相応して、前記処理モジュールが、端末のサービスフローの識別子を取得するよう構成されることは、セッション管理ネットワーク要素から、第２メッセージを受信することを含み、前記第２メッセージは、前記サービスフローの前記識別子と、前記サービスフローの前記識別子に対応するフロー分割ポリシと、を運び、前記フロー分割ポリシは、前記サービスフローが前記第１フロー分割リンク及び前記第２フロー分割リンクに分割可能であることを示すために使用され、
前記処理モジュールが、前記第１フロー分割リンクの第１フロー分割リンク相関情報、及び前記第２フロー分割リンクの第２フロー分割リンク相関情報を取得するよう構成されることは、前記第１フロー分割リンクの前記第１フロー分割リンク相関情報、及び前記第２フロー分割リンクの前記第２フロー分割リンク相関情報を決定することを含む、請求項１８に記載の通信装置。
【請求項２３】
前記通信装置は、前記ユーザプレーン機能ネットワーク要素であり、前記トランシーバモジュールは、具体的に、
前記サービスフローの前記識別子、前記第１サービス品質監視パラメータ、前記第１フロー分割リンク相関情報、前記第２サービス品質監視パラメータ、前記第２フロー分割リンク相関情報を、前記端末へ、前記第１フロー分割リンクに対応する第１アクセス装置又は前記第２フロー分割リンクに対応する第２アクセス装置を使用することにより、送信するよう構成され、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、請求項１８又は２２に記載の通信装置。
【請求項２４】
前記通信装置は、前記ユーザプレーン機能ネットワーク要素であり、前記トランシーバモジュールは、具体的に、
前記サービスフローの前記識別子、及び前記第１サービス品質監視パラメータを、前記端末へ、前記第１フロー分割リンク相関情報に基づき、前記第１フロー分割リンクに対応する第１アクセス装置を使用することにより、送信し、前記サービスフローの前記識別子及び前記第１サービス品質監視パラメータは、前記第１フロー分割リンクのサービス品質を監視するために使用され、
前記サービスフローの前記識別子、及び前記第２サービス品質監視パラメータを、前記端末へ、前記第２フロー分割リンク相関情報に基づき、前記第２フロー分割リンクに対応する第２アクセス装置を使用することにより、送信し、前記サービスフローの前記識別子及び前記第２サービス品質監視パラメータは、前記第２フロー分割リンクのサービス品質を監視するために使用される、
よう構成される、請求項１８又は２２に記載の通信装置。
【請求項２５】
前記通信装置は、前記端末であり、
前記トランシーバモジュールは、具体的に、
前記サービスフローの前記識別子、前記第１サービス品質監視パラメータ、前記第１フロー分割リンク相関情報、前記第２サービス品質監視パラメータ、前記第２フロー分割リンク相関情報を、ユーザプレーン機能ネットワーク要素へ、前記第１フロー分割リンクに対応する第１アクセス装置又は前記第２フロー分割リンクに対応する第２アクセス装置を使用することにより、送信するよう構成され、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、請求項１８又は２２に記載の通信装置。
【請求項２６】
前記通信装置は、前記端末であり、
前記トランシーバモジュールは、具体的に、
前記サービスフローの前記識別子、及び前記第１サービス品質監視パラメータを、ユーザプレーン機能ネットワーク要素へ、前記第１フロー分割リンク相関情報に基づき、前記第１フロー分割リンクに対応する第１アクセス装置を使用することにより、送信し、前記サービスフローの前記識別子及び前記第１サービス品質監視パラメータは、前記第１フロー分割リンクのサービス品質を監視するために使用され、
前記サービスフローの前記識別子、及び前記第２サービス品質監視パラメータを、前記ユーザプレーン機能ネットワーク要素へ、前記第２フロー分割リンク相関情報に基づき、前記第２フロー分割リンクに対応する第２アクセス装置を使用することにより、送信し、前記サービスフローの前記識別子及び前記第２サービス品質監視パラメータは、前記第２フロー分割リンクのサービス品質を監視するために使用される、
よう構成される、請求項１８又は２２に記載の通信装置。
【請求項２７】
第１パケット処理装置であって、前記第１パケット処理装置は、取得モジュールと相関モジュールとを含み、
前記取得モジュールは、端末のサービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得するよう構成され、
前記相関モジュールは、前記サービスフローの前記識別子、前記第１サービス品質監視パラメータ、及び前記第１フロー分割リンク相関情報を相関し、前記サービスフローの前記識別子、前記第２サービス品質監視パラメータ、及び前記第２フロー分割リンク相関情報を相関するよう構成される、
第１パケット処理装置。
【請求項２８】
前記取得モジュールは、具体的に、前記サービスフローの前記識別子、前記第１サービス品質監視パラメータ、前記第１フロー分割リンク相関情報、前記第２サービス品質監視パラメータ、及び前記第２フロー分割リンク相関情報を、セッション管理ネットワーク要素から、受信するよう構成される、又は、
前記取得モジュールは、具体的に、前記サービスフローの前記識別子、前記第１サービス品質監視パラメータ、前記第１フロー分割リンク相関情報、前記第２サービス品質監視パラメータ、及び前記第２フロー分割リンク相関情報を、第２パケット処理装置から、前記第１フロー分割リンクに対応する第１アクセス装置又は前記第２フロー分割リンクに対応する第２アクセス装置を使用することにより、受信するよう構成される、又は、
前記取得モジュールは、具体的に、前記サービスフローの前記識別子、及び前記第１サービス品質監視パラメータを、第２パケット処理装置から、前記第１フロー分割リンクに対応する第１アクセス装置を使用することにより、受信し、前記第１フロー分割リンク相関情報を、前記第１アクセス装置に関する情報に基づき決定し、並びに、前記サービスフローの前記識別子、及び前記第２サービス品質監視パラメータを、前記第２パケット処理装置から、前記第２フロー分割リンクに対応する第２アクセス装置を使用することにより、受信し、前記第２フロー分割リンク相関情報を、前記第２アクセス装置に関する情報に基づき決定するよう構成される、
請求項２７に記載の第１パケット処理装置。
【請求項２９】
前記相関モジュールが、前記サービスフローの前記識別子、前記第１サービス品質監視パラメータ、及び前記第１フロー分割リンク相関情報を相関するよう構成されることは、
前記サービスフローの前記識別子、前記第１サービス品質監視パラメータ、及び前記第１フロー分割リンク相関情報の間の対応を格納することを含み、
前記相関モジュールが、前記サービスフローの前記識別子、前記第２サービス品質監視パラメータ、及び前記第２フロー分割リンク相関情報を相関することは、
前記サービスフローの前記識別子、前記第２サービス品質監視パラメータ、及び前記第２フロー分割リンク相関情報の間の対応を格納することを含む、
請求項２７又は２８に記載の第１パケット処理装置。
【請求項３０】
前記第１パケット処理装置は、監視モジュールを更に含み、
前記監視モジュールは、前記第１フロー分割リンクのサービス品質を、前記サービスフローの前記識別子、前記第１サービス品質監視パラメータ、及び前記第１フロー分割リンク相関情報に基づき監視するよう構成される、又は、
前記監視モジュールは、前記第２フロー分割リンクのサービス品質を、前記サービスフローの前記識別子、前記第２サービス品質監視パラメータ、及び前記第２フロー分割リンク相関情報に基づき監視するよう構成される、
請求項２７〜２９のいずれか一項に記載の第１パケット処理装置。
【請求項３１】
サービス品質監視システムであって、前記サービス品質監視システムは、セッション管理ネットワーク要素とユーザプレーン機能ネットワーク要素とを含み、
前記セッション管理ネットワーク要素は、サービスフローの識別子、前記サービスフローと第１フロー分割リンクの第１フロー分割リンク相関情報とを伝送する前記第１フロー分割リンクの第１サービス品質監視パラメータ、及び前記サービスフローと第２フロー分割リンクの第２フロー分割リンク相関情報とを伝送する前記第２フロー分割リンクの第２サービス品質監視パラメータを取得するよう構成され、
前記セッション管理ネットワーク要素は、前記サービスフローの前記識別子、前記第１サービス品質監視パラメータ、前記第１フロー分割リンク相関情報、前記第２サービス品質監視パラメータ、及び前記第２フロー分割リンク相関情報を、前記ユーザプレーン機能ネットワーク要素へ送信するよう更に構成され、
前記ユーザプレーン機能ネットワーク要素は、前記サービスフローの前記識別子、前記第１サービス品質監視パラメータ、前記第１フロー分割リンク相関情報、前記第２サービス品質監視パラメータ、及び前記第２フロー分割リンク相関情報を、前記セッション管理ネットワーク要素から受信するよう構成され、
前記ユーザプレーン機能ネットワーク要素は、前記サービスフローの前記識別子、前記第１サービス品質監視パラメータ、及び前記第１フロー分割リンク相関情報を相関し、前記サービスフローの前記識別子、前記第２サービス品質監視パラメータ、及び前記第２フロー分割リンク相関情報を相関するよう構成される、
サービス品質監視システム。
【請求項３２】
前記サービス品質監視システムは、ポリシ制御ネットワーク要素を更に含み、
前記ポリシ制御ネットワーク要素は、第１メッセージを前記セッション管理ネットワーク要素へ送信するよう構成され、前記第１メッセージは、前記サービスフローの前記識別子及び前記サービスフローの前記識別子に対応するフロー分割ポリシを運び、前記フロー分割ポリシは、前記サービスフローが、前記第１フロー分割リンク及び前記第２フロー分割リンクに分割可能であることを示すために使用され、
相応して、前記セッション管理ネットワーク要素が、端末のサービスフローの識別子を取得するよう構成されることは、前記第１メッセージを前記ポリシ制御ネットワーク要素から受信することを含み、
前記セッション管理ネットワーク要素が、第１フロー分割リンク相関情報及び第２フロー分割リンク相関情報を取得するよう構成されることは、前記第１フロー分割リンク相関情報及び前記第２フロー分割リンク相関情報を決定することを含む、
請求項３１に記載のサービス品質監視システム。
【請求項３３】
通信装置であって、
コンピュータプログラムを格納するよう構成されるメモリと、
前記メモリから前記コンピュータプログラムを呼び出し、前記コンピュータプログラムを実行して、請求項１〜１２のいずれか一項に記載のサービス品質監視方法を実行するよう構成されるプロセッサと、
を含む通信装置。
【請求項３４】
第１パケット処理装置であって、
コンピュータプログラムを格納するよう構成されるメモリと、
前記メモリから前記コンピュータプログラムを呼び出し、前記コンピュータプログラムを実行して、請求項１３〜１７のいずれか一項に記載のサービス品質監視方法を実行するよう構成されるプロセッサと、
を含む第１パケット処理装置。
【請求項３５】
プロセッサであって、請求項１〜１２のいずれか一項に記載のサービス品質監視方法又は請求項１３〜１７のいずれか一項に記載のサービス品質監視方法を実行するよう構成されるプロセッサ。
【請求項３６】
コンピュータプログラムを含むコンピュータ可読記憶媒体であって、前記コンピュータプログラムがコンピュータ上で実行されると、前記コンピュータは、請求項１〜１２のいずれか一項に記載のサービス品質監視方法又は請求項１３〜６のいずれか一項に記載のサービス品質監視方法を実行するようにされる、コンピュータ可読記憶媒体。
【請求項３７】
コンピュータプログラムプロダクトであって、前記コンピュータプログラムプロダクトはコンピュータプログラムを含み、前記コンピュータプログラムがコンピュータ上で実行されると、前記コンピュータは、請求項１〜１２のいずれか一項に記載のサービス品質監視方法又は請求項１３〜６のいずれか一項に記載のサービス品質監視方法を実行するようにされる、コンピュータプログラムプロダクト。
【請求項３８】
機器であって、請求項１〜１２のいずれか一項に記載のサービス品質監視方法又は請求項１３〜１７のいずれか一項に記載のサービス品質監視方法を実行するよう構成される機器。
【発明の詳細な説明】
【技術分野】
【０００１】
［関連出願］
本願は、参照により全体がここに組み込まれる、中国特許出願番号２０１８１０４９００７９.９号、中国国家知識産権局に２０１８年５月２１日に出願、名称「QUALITY  OF  SERVICE  MONITORING  METHOD  AND  SYSTEM,  AND  DEVICE」の優先権を主張する。
【０００２】
［技術分野］
本願は、通信技術の分野に関し、特に、サービス品質監視方法及びシステム、並びに装置に関する。
【背景技術】
【０００３】
無線ブロードバンド技術からの課題に直面し、及び第３世代パートナーシッププロジェクト（３rd  generation  partnership  project,  ３GPP）ネットワークの主導的地位を確保するために、３ＧＰＰ標準化組織は、２０１６年の終わりに次世代移動体通信システム（次世代システム）のネットワークアーキテクチャを策定した。これは、第５世代（５th  generation,  ５G）ネットワークアーキテクチャと呼ばれる。このアーキテクチャは、３ＧＰＰ標準化組織において定義された無線技術の使用による５Ｇコアネットワーク（５G  core  network）へのアクセス、及び非３ＧＰＰ（non−３GPP,  N３G）アクセス技術の使用による５Ｇコアネットワークへのアクセスの両方をサポートする。言い換えると、５Ｇコアネットワークアーキテクチャには、二重のシナリオまたはマルチアクセスシナリオさえ存在し得る。
【０００４】
更に、５Ｇネットワークアーキテクチャでは、超高信頼性低遅延通信（ultra−reliable  low  latency  communication,  URLLC）シナリオが定義され、主に、低遅延及び高信頼性コネクション要件を有するサービス、例えば無人運転サービス及び産業自動化サービスを含む。前述のシナリオにおける要件は、高度無線技術及び５Ｇネットワークの最適なコアネットワークアーキテクチャを用いて満たされ得る。しかしながら、５Ｇネットワークでは、最下層リンク、上位層ルーティングプロトコル等、全部が、ある程度不安定である。更に、遅延、誤り、又はネットワーク障害も、ネットワーク構成の観点から常に避けることができない。しかしながら、前述のシナリオは、殆どが、人命保護又は製造安全性に関連するサービスに関し、誤りが許されない。従って、５Ｇネットワークが、人命保護又は製造安全性に敏感な前述の産業を提供するために使用されるとき、５Ｇネットワークにおいてサービス品質はリアルタイムに監視される必要がある。このように、サービス品質が予め設定した条件を満たさないとき、対応する調整動作又は保護動作が実行されてよい。現在のサービス品質監視方法では、パケットの関し、及び被監視サービスパケットは、同じリンクで送信されるので、リンクのリンク品質は、リンクのサービス品質に基づき正しく反映できる。更に、パケットの監視は、複数のリンクのサービス品質を同時に監視する代わりに、一度に１つのリンクのみのサービス品質を監視するために使用できる。
【０００５】
しかしながら、マルチアクセスシナリオでは、言い換えると、１つのサービスのために複数の利用可能なリンクがあるシナリオでは、サービス品質が前縦いつの品質監視方法を用いて監視される場合、マルチアクセスハンドオーバの間、サービスフローについてポリシ決定を提供できない。
【０００６】
従って、マルチアクセスシナリオでマルチアクセスリンクのサービス品質をどのように監視するかは、緊急に解決されるべき問題である。
【発明の概要】
【０００７】
本願の実施形態は、マルチアクセスシナリオにおけるマルチアクセスリンクのサービス品質を監視するサービス品質監視方法及びシステム、並びに装置を提供する。
【０００８】
前述の目的を達成するために、以下の技術的ソリューションは、本願の実施形態において使用される。
【０００９】
第１の態様によると、サービス品質監視方法が提供される。前記方法は、通信装置により、端末のサービスフローの識別子、前記サービスフローと第１フロー分割リンクの第１フロー分割リンク相関情報とを伝送する前記第１フロー分割リンクの第１サービス品質監視パラメータ、及び前記サービスフローと第２フロー分割リンクの第２フロー分割リンク相関情報とを伝送する前記第２フロー分割リンクの第２サービス品質監視パラメータ、を取得するステップと、
前記通信装置により、前記サービスフローの前記識別子、前記第１サービス品質監視パラメータ、前記痔ａ１フロー分割リンク相関情報、前記第２サービス品質監視パラメータ、及び前記第２フロー分割リンク相関情報に基づき、前記第１フロー分割リンクに対応する第１サービス品質監視コネクション及び前記第２フロー分割リンクに対応する第２サービス品質監視コネクションの確立を開始するステップと、を含む。このソリューションによると、前記通信装置は、前記端末の前記サービスフローの前記取得した識別子、前記取得した第１サービス品質監視パラメータ、前記取得した第１フロー分割リンク相関情報、前記取得した第２サービス品質監視パラメータ、及び前記取得した第２フロー分割リンク相関情報に基づき、前記第１フロー分割リンクに対応する第１サービス品質監視コネクション及び前記第２フロー分割リンクに対応する第２サービス品質監視コネクションの確立を開始してよい。従って、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。
【００１０】
任意で、前記通信装置は、セッション管理ネットワーク要素、ユーザプレーン機能ネットワーク要素、又は端末を含む。
【００１１】
可能な設計では、前記通信装置は、前記セッション管理ネットワーク要素であり、
相応して、通信装置により、端末のサービスフローの識別子を取得する前記ステップは、
前記セッション管理ネットワーク要素により、ポリシ制御ネットワーク要素から、第１メッセージを受信するステップであって、前記第１メッセージは、前記サービスフローの前記識別子と、前記サービスフローの前記識別子に対応するフロー分割ポリシと、を運び、前記フロー分割ポリシは、前記サービスフローが前記第１フロー分割リンク及び前記第２フロー分割リンクに分割可能であることを示すために使用される、ステップを含み、
通信装置により、前記第１フロー分割リンクの第１フロー分割リンク相関情報、及び前記第２フロー分割リンクの第２フロー分割リンク相関情報を取得する前記ステップは、
前記セッション管理ネットワーク要素により、前記第１フロー分割リンクの前記第１フロー分割リンク相関情報、及び前記第２フロー分割リンクの前記第２フロー分割リンク相関情報を決定するステップを含む。このソリューションによると、前記セッション管理ネットワーク要素は、前記サービスフローの前記識別子、前記第１フロー分割リンク相関情報、及び前記第２フロー分割リンク相関情報を取得してよい。
【００１２】
可能な設計では、前記通信装置は、前記セッション管理ネットワーク要素であり、前記通信装置により、前記サービスフローの前記識別子、前記第１サービス品質監視パラメータ、前記第１フロー分割リンク相関情報、前記第２サービス品質監視パラメータ、及び前記第２フロー分割リンク相関情報に基づき、前記第１フロー分割リンクに対応する第１サービス品質監視コネクション及び前記第２フロー分割リンクに対応する第２サービス品質監視コネクションの確立を開始する前記ステップは、
前記セッション管理ネットワーク要素により、前記サービスフローの前記識別子、前記第１サービス品質監視パラメータ、前記第１フロー分割リンク相関情報、前記第２サービス品質監視パラメータ、及び前記第２フロー分割リンク相関情報を、ユーザプレーン機能ネットワーク要素へ送信するステップを含む。従って、前記ユーザプレーン機能ネットワーク要素は、前記サービスフローの前記識別子、前記第１サービス品質監視パラメータ、前記第１フロー分割リンク相関情報を相関し、前記サービスフローの前記識別子、前記第２サービス品質監視パラメータ、前記第２フロー分割リンク相関情報を相関してよく、その結果、前記第１サービス品質監視コネクション及び前記第２サービス品質監視コネクションが確立できる。
【００１３】
可能な設計では、前記通信装置は、前記セッション管理ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記セッション管理ネットワーク要素により、前記サービスフローの前記識別子、前記第１サービス品質監視パラメータ、前記第１フロー分割リンク相関情報、前記第２サービス品質監視パラメータ、前記第２フロー分割リンク相関情報を、前記端末へ、前記第１フロー分割リンクに対応する第１アクセス装置又は前記第２フロー分割リンクに対応する第２アクセス装置を使用することにより、送信するステップであって、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、ステップを含む。従って、前記端末は、前記サービスフローの前記識別子、前記第１サービス品質監視パラメータ、前記第１フロー分割リンク相関情報を相関し、前記サービスフローの前記識別子、前記第２サービス品質監視パラメータ、前記第２フロー分割リンク相関情報を相関してよく、その結果、前記第１サービス品質監視コネクション及び前記第２サービス品質監視コネクションが確立できる。
【００１４】
可能な設計では、前記通信装置は、前記セッション管理ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記セッション管理ネットワーク要素により、前記サービスフローの前記識別子、及び前記第１サービス品質監視パラメータを、前記端末へ、前記第１フロー分割リンク相関情報に基づき、前記第１フロー分割リンクに対応する第１アクセス装置を使用することにより、送信するステップであって、前記サービスフローの前記識別子及び前記第１サービス品質監視パラメータは、前記第１フロー分割リンクのサービス品質を監視するために使用される、ステップと、
前記セッション管理ネットワーク要素により、前記サービスフローの前記識別子、及び前記第２サービス品質監視パラメータを、前記端末へ、前記第２フロー分割リンク相関情報に基づき、前記第２フロー分割リンクに対応する第２アクセス装置を使用することにより、送信するステップであって、前記サービスフローの前記識別子及び前記第２サービス品質監視パラメータは、前記第２フロー分割リンクのサービス品質を監視するために使用される、ステップと、を含む。従って、前記端末は、前記サービスフローの前記識別子、前記第１サービス品質監視パラメータ、対応するフロー分割リンク相関情報を相関し、前記サービスフローの前記識別子、前記第２サービス品質監視パラメータ、対応するフロー分割リンク相関情報を相関してよく、その結果、前記第１サービス品質監視コネクション及び前記第２サービス品質監視コネクションが確立できる。
【００１５】
前記通信装置は、前記端末又は前記ユーザプレーン機能ネットワーク要素を含み、
相応して、通信装置により、端末のサービスフローの識別子を取得する前記ステップは、
前記端末又は前記ユーザプレーン機能ネットワーク要素により、セッション管理ネットワーク要素から、第２メッセージを受信するステップであって、前記第２メッセージは、前記サービスフローの前記識別子と、前記サービスフローの前記識別子に対応するフロー分割ポリシと、を運び、前記フロー分割ポリシは、前記サービスフローが前記第１フロー分割リンク及び前記第２フロー分割リンクに分割可能であることを示すために使用される、ステップを含み、
通信装置により、前記第１フロー分割リンクの第１フロー分割リンク相関情報、及び前記第２フロー分割リンクの第２フロー分割リンク相関情報を取得する前記ステップは、
前記端末又は前記ユーザプレーン機能ネットワーク要素により、前記第１フロー分割リンクの前記第１フロー分割リンク相関情報、及び前記第２フロー分割リンクの前記第２フロー分割リンク相関情報を決定するステップを含む。このソリューションによると、前記端末又は前記ユーザプレーン機能ネットワーク要素は、前記サービスフローの前記識別子、前記第１フロー分割リンク相関情報、及び前記第２フロー分割リンク相関情報を取得してよい。
【００１６】
可能な設計では、前記通信装置は、前記ユーザプレーン機能ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記ユーザプレーン機能ネットワーク要素により、前記サービスフローの前記識別子、前記第１サービス品質監視パラメータ、前記第１フロー分割リンク相関情報、前記第２サービス品質監視パラメータ、前記第２フロー分割リンク相関情報を、前記端末へ、前記第１フロー分割リンクに対応する第１アクセス装置又は前記第２フロー分割リンクに対応する第２アクセス装置を使用することにより、送信するステップであって、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、ステップを含む。従って、前記端末は、前記サービスフローの前記識別子、前記第１サービス品質監視パラメータ、前記第１フロー分割リンク相関情報を相関し、前記サービスフローの前記識別子、前記第２サービス品質監視パラメータ、前記第２フロー分割リンク相関情報を相関してよく、その結果、前記第１サービス品質監視コネクション及び前記第２サービス品質監視コネクションが確立できる。
【００１７】
可能な設計では、前記通信装置は、前記ユーザプレーン機能ネットワーク要素であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記ユーザプレーン機能ネットワーク要素により、前記サービスフローの前記識別子、及び前記第１サービス品質監視パラメータを、前記端末へ、前記第１フロー分割リンク相関情報に基づき、前記第１フロー分割リンクに対応する第１アクセス装置を使用することにより、送信するステップであって、前記サービスフローの前記識別子及び前記第１サービス品質監視パラメータは、前記第１フロー分割リンクのサービス品質を監視するために使用される、ステップと、
前記セッション管理ネットワーク要素により、前記サービスフローの前記識別子、及び前記第２サービス品質監視パラメータを、前記端末へ、前記第２フロー分割リンク相関情報に基づき、前記第２フロー分割リンクに対応する第２アクセス装置を使用することにより、送信するステップであって、前記サービスフローの前記識別子及び前記第２サービス品質監視パラメータは、前記第２フロー分割リンクのサービス品質を監視するために使用される、ステップと、を含む。従って、前記端末は、前記サービスフローの前記識別子、前記第１サービス品質監視パラメータ、対応するフロー分割リンク相関情報を相関し、前記サービスフローの前記識別子、前記第２サービス品質監視パラメータ、対応するフロー分割リンク相関情報を相関してよく、その結果、前記第１サービス品質監視コネクション及び前記第２サービス品質監視コネクションが確立できる。
【００１８】
可能な設計では、前記通信装置は、前記端末であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記端末により、前記サービスフローの前記識別子、前記第１サービス品質監視パラメータ、前記第１フロー分割リンク相関情報、前記第２サービス品質監視パラメータ、前記第２フロー分割リンク相関情報を、前記ユーザプレーン機能ネットワーク要素へ、前記第１フロー分割リンクに対応する第１アクセス装置又は前記第２フロー分割リンクに対応する第２アクセス装置を使用することにより、送信するステップであって、前記サービスフローの前記識別子、前記第１サービス品質監視パラメータ、及び前記第１フロー分割リンク相関情報は、前記第１フロー分割リンクのサービス品質を監視するために使用され、前記サービスフローの前記識別子、前記第２サービス品質監視パラメータ、及び前記第２フロー分割リンク相関情報は、前記第２フロー分割リンクのサービス品質を監視するために使用される、ステップを含む。従って、前記ユーザプレーン機能ネットワーク要素は、前記サービスフローの前記識別子、前記第１サービス品質監視パラメータ、前記第１フロー分割リンク相関情報を相関し、前記サービスフローの前記識別子、前記第２サービス品質監視パラメータ、前記第２フロー分割リンク相関情報を相関してよく、その結果、前記第１サービス品質監視コネクション及び前記第２サービス品質監視コネクションが確立できる。
【００１９】
可能な設計では、前記通信装置は、前記端末であり、前記通信装置により、前記サービスフローの前記識別子、前記第１サービス品質監視パラメータ、前記第１フロー分割リンク相関情報、前記第２サービス品質監視パラメータ、前記第２フロー分割リンク相関情報に基づき、前記第１フロー分割リンクに対応する第１サービス品質監視コネクション及び前記第２フロー分割リンクに対応する第１サービス品質監視コネクションの確立を開始する前記ステップは、
前記端末により、前記サービスフローの前記識別子、及び前記第１サービス品質監視パラメータを、前記ユーザプレーン機能ネットワーク要素へ、前記第１フロー分割リンク相関情報に基づき、前記第１フロー分割リンクに対応する第１アクセス装置を使用することにより、送信するステップであって、前記サービスフローの前記識別子及び前記第１サービス品質監視パラメータは、前記第１フロー分割リンクのサービス品質を監視するために使用される、ステップと、
前記端末により、前記サービスフローの前記識別子、及び前記第２サービス品質監視パラメータを、前記ユーザプレーン機能ネットワーク要素へ、前記第２フロー分割リンク相関情報に基づき、前記第２フロー分割リンクに対応する第２アクセス装置を使用することにより、送信するステップであって、前記サービスフローの前記識別子及び前記第２サービス品質監視パラメータは、前記第２フロー分割リンクのサービス品質を監視するために使用される、ステップと、を含む。従って、前記ユーザプレーン機能ネットワーク要素は、前記サービスフローの前記識別子、前記第１サービス品質監視パラメータ、対応するフロー分割リンク相関情報を相関し、前記サービスフローの前記識別子、前記第２サービス品質監視パラメータ、対応するフロー分割リンク相関情報を相関してよく、その結果、前記第１サービス品質監視コネクション及び前記第２サービス品質監視コネクションが確立できる。
【００２０】
第２の態様によると、サービス品質監視方法が提供される。前記方法は、
第１パケット処理装置により、端末のサービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得するステップと、
前記第１パケット処理装置により、前記サービスフローの前記識別子、前記第１サービス品質監視パラメータ、及び前記第１フロー分割リンク相関情報を相関するステップと、
前記第１パケット処理装置により、前記サービスフローの前記識別子、前記第２サービス品質監視パラメータ、及び前記第２フロー分割リンク相関情報を相関するステップと、を含む。言い換えると、このソリューションでは、前記第１フロー分割リンクに対応する第１サービス品質監視コネクション及び前記第２フロー分割リンクに対応する第２サービス品質監視コネクションが確立できる。従って、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。
【００２１】
任意で、前記第１パケット処理装置は、前記端末又はユーザプレーン機能ネットワーク要素を含む。
【００２２】
可能な設計では、第１パケット処理装置により、サービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得する前記ステップは、
前記第１パケット処理装置により、前記サービスフローの前記識別子、前記第１サービス品質監視パラメータ、前記第１フロー分割リンク相関情報、前記第２サービス品質監視パラメータ、及び前記第２フロー分割リンク相関情報を、セッション管理ネットワーク要素から、受信するステップを含む。このソリューションによると、前記第１パケット処理装置は、前記サービスフローの前記識別子、前記第１サービス品質監視パラメータ、前記第１フロー分割リンク相関情報、前記第２サービス品質監視パラメータ、及び前記第２フロー分割リンク相関情報を取得してよい。
【００２３】
可能な設計では、第１パケット処理装置により、サービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得する前記ステップは、
前記第１パケット処理装置により、前記サービスフローの前記識別子、前記第１サービス品質監視パラメータ、前記第１フロー分割リンク相関情報、前記第２サービス品質監視パラメータ、及び前記第２フロー分割リンク相関情報を、第２パケット処理装置から、前記第１フロー分割リンクに対応する第１アクセス装置又は前記第２フロー分割リンクに対応する第２アクセス装置を使用することにより、受信するステップを含む。このソリューションによると、前記第１パケット処理装置は、前記サービスフローの前記識別子、前記第１サービス品質監視パラメータ、前記第１フロー分割リンク相関情報、前記第２サービス品質監視パラメータ、及び前記第２フロー分割リンク相関情報を取得してよい。
【００２４】
可能な設計では、第１パケット処理装置により、サービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得する前記ステップは、
前記第１パケット処理装置により、前記サービスフローの前記識別子、及び前記第１サービス品質監視パラメータを、第２パケット処理装置から、前記第１フロー分割リンクに対応する第１アクセス装置を使用することにより受信し、前記第１フロー分割リンク相関情報を前記第１アクセス装置に関する情報に基づき決定するステップと、
前記第１パケット処理装置により、前記サービスフローの前記識別子、及び前記第２サービス品質監視パラメータを、前記第２パケット処理装置から、前記第２フロー分割リンクに対応する第２アクセス装置を使用することにより受信し、前記第２フロー分割リンク相関情報を前記第２アクセス装置に関する情報に基づき決定するステップと、を含む。このソリューションによると、前記第１パケット処理装置は、前記サービスフローの前記識別子、前記第１サービス品質監視パラメータ、前記第１フロー分割リンク相関情報、前記第２サービス品質監視パラメータ、及び前記第２フロー分割リンク相関情報を取得してよい。
【００２５】
可能な設計では、前記第１パケット処理装置により、前記サービスフローの前記識別子、前記第１サービス品質監視パラメータ、及び前記第１フロー分割リンク相関情報を相関する前記ステップは、
前記第１パケット処理装置により、前記サービスフローの前記識別子、前記第１サービス品質監視パラメータ、及び前記第１フロー分割リンク相関情報の間の対応を格納するステップを含み、
前記第１パケット処理装置により、前記サービスフローの前記識別子、前記第２サービス品質監視パラメータ、及び前記第２フロー分割リンク相関情報を相関する前記ステップは、
前記第１パケット処理装置により、前記サービスフローの前記識別子、前記第２サービス品質監視パラメータ、及び前記第２フロー分割リンク相関情報の間の対応を格納するステップを含む。このソリューションによると、前記第１フロー分割リンクに対応する前記第１サービス品質監視コネクション及び前記第２フロー分割リンクに対応する前記第２サービス品質監視コネクションが確立できる。
【００２６】
可能な設計では、本願の本実施形態で提供される前記サービス品質監視方法は、
前記第１パケット処理装置により、前記第１フロー分割リンクのサービス品質を、前記サービスフローの前記識別子、前記第１サービス品質監視パラメータ、及び前記第１フロー分割リンク相関情報に基づき監視するステップ、又は、
前記第１パケット処理装置により、前記第２フロー分割リンクのサービス品質を、前記サービスフローの前記識別子、前記第２サービス品質監視パラメータ、及び前記第２フロー分割リンク相関情報に基づき監視するステップ、を更に含む。このソリューションによると、マルチアクセスリンクのサービス品質が監視され、異なるフロー分割リンク上で切り替えるサービスのためのポリシの基礎を提供し得る。
【００２７】
第１の態様又は第２の態様を参照して、可能な設計では、前記第１フロー分割リンク相関情報は、前記第１サービス品質監視パラメータが前記第１フロー分割リンクの前記サービス品質を監視するために使用されることを識別するために使用される情報であり、前記第２フロー分割リンク相関情報は、前記第２サービス品質監視パラメータが前記第２フロー分割リンクの前記サービス品質を監視するために使用されることを識別するために使用される情報である。
【００２８】
第１の態様又は第２の態様を参照して、可能な設計では、前記第１フロー分割リンク相関情報は、前記第１フロー分割リンクに対応する第１アクセスタイプ、前記第１フロー分割リンクに対応する第１セッション識別子、前記第１フロー分割リンクに対応する第１トンネル識別子、又は前記第１フロー分割リンクに対応する第１監視識別子、のうちの少なくとも１つを含み、
前記第２フロー分割リンク相関情報は、前記第２フロー分割リンクに対応する第２アクセスタイプ、前記第２フロー分割リンクに対応する第２セッション識別子、前記第２フロー分割リンクに対応する第２トンネル識別子、又は前記第２フロー分割リンクに対応する第２監視識別子、のうちの少なくとも１つを含む。
【００２９】
第３の態様によると、通信装置が提供され、前記通信装置は、第１の態様の方法を実装する機能を有する。該機能は、ハードウェアにより実装されてよく、又は対応するソフトウェアを実行するハードウェアにより実装されてよい。該ハードウェア又はソフトウェアは、機能に対応する１つ以上のモジュールを含む。
【００３０】
第４の態様によると、メモリとプロセッサとを含む通信装置が提供される。前記メモリは、コンピュータ実行可能命令を格納するよう構成され、前記通信装置が実行するとき、前記プロセッサは前記メモリに格納された前記コンピュータ実行可能命令を実行し、その結果、前記通信装置は第１の態様のサービス品質監視方法を実行する。
【００３１】
第５の態様によると、プロセッサを含む通信装置が提供される。前記プロセッサは、メモリに接続され、前記メモリ内の命令を読み出した後に、前記命令に従い、第１の態様のサービス品質監視方法を実行するよう構成される。
【００３２】
第６の態様によると、コンピュータ可読記憶媒体が提供される。前記可読記憶媒体は命令を格納し、前記命令がコンピュータ上で実行されると、前記コンピュータは、第１の態様のサービス品質監視方法を実行可能にされる。
【００３３】
第７の態様によると、命令を含むコンピュータプログラムプロダクトが提供される。前記コンピュータプログラムプロダクトがコンピュータで実行されると、前記コンピュータは、第１の態様のサービス品質監視方法を実行可能にされる。
【００３４】
第１１の態様によると、チップシステムが提供される。前記チップシステムは、プロセッサを含み、前記プロセッサは、通信装置が第１の態様における機能を実装するのをサポートするよう構成され、例えば、端末のサービスフローの識別子、前記サービスフローと第１フロー分割リンクの第１フロー分割リンク相関情報を伝送する前記第１フロー分割リンクの第１サービス品質監視パラメータ、及び前記サービスフローと第２フロー分割リンクの第２フロー分割リンク相関情報を伝送する前記第２フロー分割リンクの第２サービス品質監視パラメータを取得する。可能な設計では、前記チップシステムは、メモリを更に含む。前記メモリは、前記通信装置のために必要なプログラム命令及びデータを格納するよう構成される。チップシステムは、チップを含んでよく、又はチップ及び別の個別素子を含んでよい。
【００３５】
第３の態様〜第８の態様の設計方法のいずれか１つによりもたらされる技術的効果については、第１の態様の異なる設計方法によりもたらされる技術的効果を参照し、ここで再び記載されない。
【００３６】
第９の態様によると、第１パケット処理装置が提供され、前記第１パケット処理装置は、第２の態様の方法を実装する機能を有する。該機能は、ハードウェアにより実装されてよく、又は対応するソフトウェアを実行するハードウェアにより実装されてよい。該ハードウェア又はソフトウェアは、機能に対応する１つ以上のモジュールを含む。
【００３７】
第１０の態様によると、メモリとプロセッサとを含む第１パケット処理装置が提供される。前記メモリは、コンピュータ実行可能命令を格納するよう構成され、前記第１パケット処理装置が実行するとき、前記プロセッサは前記メモリに格納された前記コンピュータ実行可能命令を実行し、その結果、前記第１パケット処理装置は第２の態様のサービス品質監視方法を実行する。
【００３８】
第１１の態様によると、プロセッサを含む第１パケット処理装置が提供される。前記プロセッサは、メモリに接続され、前記メモリ内の命令を読み出した後に、前記命令に従い、第１の態様のサービス品質監視方法を実行するよう構成される。
【００３９】
第１２の態様によると、コンピュータ可読記憶媒体が提供される。前記可読記憶媒体は命令を格納し、前記命令がコンピュータ上で実行されると、前記コンピュータは、第２の態様のサービス品質監視方法を実行可能にされる。
【００４０】
第１３の態様によると、命令を含むコンピュータプログラムプロダクトが提供される。前記コンピュータプログラムプロダクトがコンピュータで実行されると、前記コンピュータは、第２の態様のサービス品質監視方法を実行可能にされる。
【００４１】
第１４の態様によると、チップシステムが提供される。前記チップシステムは、プロセッサを含み、前記プロセッサは、第１パケット処理装置が第２の態様における機能を実装するのをサポートするよう構成され、例えば、サービスフローの識別子、第１サービス品質監視パラメータ、及び第１フロー分割リンク相関情報を相関し、前記サービスフローの前記識別子、第２サービス品質監視パラメータ、及び第２フロー分割リンク相関情報を相関する。可能な設計では、前記チップシステムは、メモリを更に含む。前記メモリは、前記第１パケット処理装置のために必要なプログラム命令及びデータを格納するよう構成される。前記チップシステムは、チップを含んでよく、又はチップ及び別の個別素子を含んでよい。
【００４２】
第９の態様〜第１４の態様の設計方法のいずれか１つによりもたらされる技術的効果については、第２の態様の異なる設計方法によりもたらされる技術的効果を参照し、ここで再び記載されない。
【００４３】
第１５の態様によると、サービス品質監視システムが提供され、前記サービス品質監視システムは、セッション管理ネットワーク要素とユーザプレーン機能ネットワーク要素とを含む。前記セッション管理ネットワーク要素は、端末のサービスフローの識別子、前記サービスフローと第１フロー分割リンクの第１フロー分割リンク相関情報を伝送する前記第１フロー分割リンクの第１サービス品質監視パラメータ、及び前記サービスフローと第２フロー分割リンクの第２フロー分割リンク相関情報を伝送する前記第２フロー分割リンクの第２サービス品質監視パラメータを取得するよう構成される。前記セッション管理ネットワーク要素は、前記サービスフローの前記識別子、前記第１サービス品質監視パラメータ、前記第１フロー分割リンク相関情報、前記第２サービス品質監視パラメータ、及び前記第２フロー分割リンク相関情報を、前記ユーザプレーン機能ネットワーク要素へ送信するよう更に構成される。前記ユーザプレーン機能ネットワーク要素は、前記サービスフローの前記識別子、前記第１サービス品質監視パラメータ、前記第１フロー分割リンク相関情報、前記第２サービス品質監視パラメータ、及び前記第２フロー分割リンク相関情報を、前記セッション管理ネットワーク要素から受信するよう構成される。前記ユーザプレーン機能ネットワーク要素は、前記サービスフローの前記識別子、前記第１サービス品質監視パラメータ、前記第１フロー分割リンク相関情報を相関し、前記サービスフローの前記識別子、前記第２サービス品質監視パラメータ、前記第２フロー分割リンク相関情報を相関するよう構成される。
【００４４】
可能な設計では、前記サービス品質監視システムは、ポリシ制御ネットワーク要素を更に含む。前記ポリシ制御ネットワーク要素は、第１メッセージを前記セッション管理ネットワーク要素へ送信するようい構成され、前記第１メッセージは、前記サービスフローの前記識別子及び前記サービスフローの前記識別子に対応するフロー分割ポリシを運び、前記フロー分割ポリシは、前記サービスフローが前記第１フロー分割リンク及び前記第２フロー分割リンクに分割可能であることを示すために使用される。相応して、前記セッション管理ネットワーク要素が、端末のサービスフローの識別子を取得するよう構成されることは、前記第１メッセージを前記ポリシ制御ネットワーク要素から受信することを含み、
前記セッション管理ネットワーク要素が、前記第１フロー分割リンク相関情報及び前記第２フロー分割リンク相関情報を取得するよう構成されることは、前記第１フロー分割リンク相関情報及び前記第２フロー分割リンク相関情報を決定することを含む。
【００４５】
第１６の態様によると、サービス品質監視システムが提供され、前記サービス品質監視システムは、第１パケット処理装置及び第２パケット処理装置を含む。前記第２パケット処理装置は、端末のサービスフローの識別子、前記サービスフローと第１フロー分割リンクの第１フロー分割リンク相関情報を伝送する前記第１フロー分割リンクの第１サービス品質監視パラメータ、及び前記サービスフローと第２フロー分割リンクの第２フロー分割リンク相関情報を伝送する前記第２フロー分割リンクの第２サービス品質監視パラメータを取得するよう構成される。前記第２パケット処理装置は、前記サービスフローの前記識別子、前記第１サービス品質監視パラメータ、前記第１フロー分割リンク相関情報、前記第２サービス品質監視パラメータ、及び前記第２フロー分割リンク相関情報を、前記第１パケット処理装置へ、前記第１フロー分割リンクに対応する第１アクセス装置又は前記２フロー分割リンクに対応する第２アクセス装置を使用することにより、送信するよう更に構成される。前記第１パケット処理装置は、前記第１アクセス装置又は前記第２アクセス装置を使用することにより、前記第２パケット処理装置により送信された、前記サービスフローの前記識別子、前記第１サービス品質監視パラメータ、前記第１フロー分割リンク相関情報、前記第２サービス品質監視パラメータ、及び前記第２フロー分割リンク相関情報を、前記セッション管理ネットワーク要素から受信するよう構成される。前記第１パケット処理装置は、前記サービスフローの前記識別子、前記第１サービス品質監視パラメータ、前記第１フロー分割リンク相関情報を相関し、前記サービスフローの前記識別子、前記第２サービス品質監視パラメータ、前記第２フロー分割リンク相関情報を相関するよう更に構成される。
【００４６】
第１７の態様によると、サービス品質監視システムが提供され、前記サービス品質監視システムは、第１パケット処理装置及び第２パケット処理装置を含む。前記第２パケット処理装置は、端末のサービスフローの識別子、前記サービスフローと第１フロー分割リンクの第１フロー分割リンク相関情報を伝送する前記第１フロー分割リンクの第１サービス品質監視パラメータ、及び前記サービスフローと第２フロー分割リンクの第２フロー分割リンク相関情報を伝送する前記第２フロー分割リンクの第２サービス品質監視パラメータを取得するよう構成される。前記第２パケット処理装置は、前記サービスフローの前記識別子及び前記第１サービス品質監視パラメータを、前記第１パケット処理装置へ、前記第１フロー分割リンク相関情報に基づき、前記フロー分割リンクに対応する第１アクセス装置を使用することにより、送信するよう更に構成される。前記第２パケット処理装置は、前記サービスフローの前記識別子及び前記第２サービス品質監視パラメータを、前記第１パケット処理装置へ、前記第２フロー分割リンク相関情報に基づき、前記フロー分割リンクに対応する第２アクセス装置を使用することにより、送信するよう更に構成される。前記第１パケット処理装置は、前記サービスフローの前記識別子及び前記第１サービス品質監視パラメータを、前記第２パケット処理装置から、前記第１アクセス装置を使用することにより、受信し、前記第１フロー分割リンクの第３フロー分割リンク相関情報を、前記第１アクセス装置に関する情報に基づき決定した後に、前記サービスフローの前記識別子、前記第１サービス品質監視パラメータ、及び前記第３フロー分割リンク相関情報を相関するよう構成される。前記第１パケット処理装置は、前記サービスフローの前記識別子及び前記第２サービス品質監視パラメータを、前記第２パケット処理装置から、前記第２アクセス装置を使用することにより、受信し、前記第２フロー分割リンクの第４フロー分割リンク相関情報を、前記第２アクセス装置に関する情報に基づき決定した後に、前記サービスフローの前記識別子、前記第２サービス品質監視パラメータ、及び前記第２フロー分割リンク相関情報を相関するよう構成される。
【００４７】
第１６の態様又は第１７の態様を参照して、可能な設計では、サービス品質監視システムは、セッション管理ネットワーク要素を更に含む。前記セッション管理ネットワーク要素は、第１メッセージを前記第２パケット処理装置へ送信するよう構成され、前記第１メッセージは、前記サービスフローの前記識別子及び前記サービスフローの前記識別子に対応するフロー分割ポリシを運び、前記フロー分割ポリシは、前記サービスフローが前記第１フロー分割リンク及び前記第２フロー分割リンクに分割可能であることを示すために使用される。相応して、前記第２パケット処理装置が、端末のサービスフローの識別子を取得するよう構成されることは、前記第１メッセージを前記セッション管理ネットワーク要素から受信することを含み、
前記第２パケット処理装置が、前記第１フロー分割リンク相関情報及び前記第２フロー分割リンク相関情報を取得するよう構成されることは、前記第１フロー分割リンク相関情報及び前記第２フロー分割リンク相関情報を決定することを含む。
【００４８】
第１６の態様又は第１７の態様を参照して、可能な設計では、前記第１パケット処理装置は前記端末であり、及び前記第２パケット処理装置はユーザプレーン機能ネットワーク要素である、或いは、前記第１パケット処理装置はユーザプレーン機能ネットワーク要素であり、及び前記第２パケット処理装置は前記端末である。
【００４９】
第１５の態様〜第１７の態様の設計方法のいずれか１つによりもたらされる技術的効果については、第１の態様又は第２の態様の異なる設計方法によりもたらされる技術的効果を参照し、ここで再び記載されない。
【図面の簡単な説明】
【００５０】
【図１】本願の一実施形態によるマルチアクセス５Ｇネットワークアーキテクチャの概略図である。
【００５１】
【図２】本願の一実施形態による５Ｇネットワークにおけるサービスフロー分配の概略図である。
【００５２】
【図３】本願の一実施形態によるサービス品質監視システムの第１概略構造図である。
【００５３】
【図４】本願の一実施形態によるサービス品質監視システムの第２概略構造図である。
【００５４】
【図５】本願の一実施形態による通信装置のハードウェア構造の概略図である。
【００５５】
【図６Ａ】本願の一実施形態によるサービス品質監視方法の第１概略フローチャートである。
【図６Ｂ】本願の一実施形態によるサービス品質監視方法の第１概略フローチャートである。
【００５６】
【図７Ａ】本願の一実施形態によるサービス品質監視方法の第２概略フローチャートである。
【図７Ｂ】本願の一実施形態によるサービス品質監視方法の第２概略フローチャートである。
【００５７】
【図８Ａ】本願の一実施形態によるサービス品質監視方法の第３概略フローチャートである。
【図８Ｂ】本願の一実施形態によるサービス品質監視方法の第３概略フローチャートである。
【００５８】
【図９】本願の一実施形態による通信装置の概略構造図である。
【００５９】
【図１０】本願の一実施形態による第１パケット処理装置の概略構造図である。
【発明を実施するための形態】
【００６０】
本願の実施形態における技術的ソリューションの理解を容易にするために、以下は、先ず、本願に関連する技術を簡単に説明する。
【００６１】
＜マルチアクセス５Ｇネットワークアーキテクチャ＞
【００６２】
図１は、本願の一実施形態による５Ｇネットワークアーキテクチャを示す。アーキテクチャは、端末が３ＧＰＰアクセス技術を用いて５Ｇネットワークにアクセスするのをサポートするだけでなく、端末が非３ＧＰＰアクセス技術を用いて５Ｇコアネットワークにアクセスするのもサポートする。
【００６３】
図１に示すように、端末が５Ｇコアネットワークに３ＧＰＰアクセス技術を用いてアクセスするとき、端末は、無線アクセスネットワーク（radio  access  network,  RAN）装置を用いて５Ｇコアネットワークにアクセスし、端末が５Ｇコアネットワークにｎｏｎ−３ＧＰＰアクセス技術を用いてアクセスするとき、端末は、ｎｏｎ−３ＧＰＰアクセスゲートウェイ（non−３GPP  gateway,  N３G−GW）を用いて５Ｇコアネットワークにアクセスする。５Ｇコアネットワークは、アクセス及び移動性管理機能（access  and  mobility  management  function,  AMF）ネットワーク要素、ユーザプレーン機能（user  plane  function,  UPF）ネットワーク要素、統合データ管理（unified  data  management,  UDM）ネットワーク要素、等を含んでよい。ＲＡＮ装置又はＮ３Ｇ−ＧＷは、ＵＰＦネットワーク要素を用いてデータネットワーク（data  network,  DN）にアクセスしてよい。
【００６４】
端末は、次世代（Next  generation,  N）ネットワークインタフェース１（略称、Ｎ１）を通じてＡＭＦネットワーク要素と通信する。ＲＡＮ装置又はＮ３Ｇ−ＧＷは、Ｎ２インタフェース（略称、Ｎ２）を通じてＡＭＦネットワーク要素と通信する。ＲＡＮ装置又はＮ３Ｇ−ＧＷは、Ｎ３インタフェース（略称、Ｎ３）を通じてＵＰＦネットワーク要素と通信する。ＡＭＦネットワーク要素は、N８インタフェース（略称、N８）を通じてＵＤＭネットワーク要素と通信する。ＡＭＦネットワーク要素は、Ｎ１１インタフェース（略称、Ｎ１１）を通じてＳＭＦネットワーク要素と通信する。ＳＭＦネットワーク要素は、Ｎ４インタフェース（略称、Ｎ４）を通じてＵＰＦネットワーク要素と通信する。
【００６５】
留意すべきことに、図１のネットワーク要素間のインタフェースの名称は単なる例であり、インタフェースは特定の実装では他の名称を有してよい。これは、本願の実施形態において具体的に限定されない。
【００６６】
任意で、本願の本実施形態におけるＲＡＮ装置は、３ＧＰＰアクセス技術を使用することにより、５Ｇコアネットワークにアクセスする装置である。例えば、ＲＡＮ装置は、基地局、ブロードバンドネットワークゲートウェイ（broadband  network  gateway,  BNG）、又は集約スイッチであってよい。これは、本願の実施形態において具体的に限定されない。基地局は、種々の基地局、例えば、マクロ基地局、マイクロ基地局（スモールセルとも呼ばれる）、中継局、又はアクセスポイントを含んでよい。これは、本願の実施形態において具体的に限定されない。
【００６７】
任意で、本願の本実施形態におけるＮ３Ｇ−ＧＷは、ｎｏｎ−３ＧＰＰアクセス技術を使用することにより、５Ｇコアネットワークにアクセスする装置である。例えば、Ｎ３Ｇ−ＧＷは、ブロードバンドネットワークゲートウェイ（broadband  network  gateway,  BNG）、ブロードバンドリモートアクセスサーバ（broadband  remote  access  server,  BRAS）、固定ネットワークアクセスゲートウェイ、又は無線ローカルエリアネットワーク（wireless  local  area  network,  WLAN）アクセスゲートウェイであってよい。これは、本願の実施形態において具体的に限定されない。
【００６８】
留意すべきことに、図１のＲＡＮ装置、Ｎ３Ｇ−ＧＷ、ＳＭＦネットワーク要素、ＵＰＦネットワーク要素、ＡＭＦネットワーク要素、ＵＤＭネットワーク要素、等は、単なる名称であり、名称は装置に対する限定を構成しない。４Ｇネットワーク及び別の将来のネットワークでは、ＲＡＮ装置、Ｎ３Ｇ−ＧＷ、ＳＭＦネットワーク要素、ＵＰＦネットワーク要素、ＡＭＦネットワーク要素、及びＵＤＭネットワーク要素に対応するネットワーク要素又はエンティティは、他の名称を有してよい。これは、本願の実施形態において具体的に限定されない。例えば、ＵＤＭネットワーク要素は、ホーム加入者サーバ（home  subscriber  server,  HSS）、加入者サブスクリプションデータベース（user  subscription  database,  USD）、又はデータベースエンティティにより置き換えられてよく、Ｎ３Ｇ−ＧＷは、次世代パケットデータゲートウェイ（next  generation  packet  data  gateway,  NG−PDG）、ｎｏｎ−３ＧＰＰインターワーキング機能（non−３GPP  interworking  function,  N３IWF）ネットワーク要素、信頼されないｎｏｎ−３ＧＰＰアクセスゲートウェイ、信頼できるｎｏｎ−３ＧＰＰアクセスゲートウェイ、又は固定ネットワークアクセスゲートウェイ機能（access  gateway  function,  AGF.）により置き換えられてよい。これは、概して本願明細書に記載される。詳細は以下に再び記載されない。
【００６９】
更に、示されないが、５Ｇコアネットワークは、認証サーバ機能（authentication  server  function,  AUSF）ネットワーク要素、ポリシ制御機能（policy  control  function,  PCF）ネットワーク要素、等を更に含んでよい。これは、本願の実施形態において具体的に限定されない。
【００７０】
任意で、本願の本実施形態における５Ｇコアネットワークは、端末ローミングシナリオにおける訪問先公衆地上移動体ネットワーク（visited  public  land  mobile  network,  VPLMN）であってよく、又は端末非ローミングシナリオにおけるホーム公衆地上移動体ネットワーク（home  public  land  mobile  network,  HPLMN）であってよい。これは、本願の実施形態において具体的に限定されない。
【００７１】
＜サービスフロー＞
【００７２】
本願の本実施形態におけるサービスフローは、サービス集約フロー及びサービスサブフローを含む。例えば、図１に示す５Ｇコアネットワークネットワークでは、サービス集約フローは、パケットデータユニット（packet  data  unit,  PDU）セッション、又はＰＤＵセッションの中の特定のサービス品質（quality  of  service,  QoS）フロー（flow）を含み、サービスサブフローはＱｏＳフローの中の特定のサービスフローを含む。
【００７３】
例えば、図２に示すように、１つのＰＤＵセッションは３つのＱｏＳフロー：ＱｏＳフロー１、ＱｏＳフロー２、及びＱｏＳフロー３を含むと仮定する。ＱｏＳフロー１は、サブフロー１及びサブフロー２を含む。サブフロー１及びサブフロー２は、異なるサービスフローに対応する。例えば、サービスフロー１は、車両と全てのものとの通信（vehicle  to  everything  communication,  V２X）サービスフロー１に対応し、サブフロー２はＶ２Ｘサービスフロー２に対応する。この場合、図２で、サービス集約フローは、ＰＤＵセッション、ＱｏＳフロー１、ＱｏＳフロー２、及びＱｏＳフロー３を含み、サービスサブフローはサブフロー１及びサブフロー２を含む。サービスフロー又はサービス集約フローは、サービスパケット及び関しパケットを送信するために使用されてよい。サービスパケットは、具体的にユーザパケット、言い換えると、特定のサービスを実行するために、端末又はアプリケーションサーバによりネットワークを通じて送信されるパケットである。監視パケットは、具体的には、ネットワーク内の、サービス品質を監視するために使用されるパケットである。監視パケットは、パケット送信装置又はパケットトランシーバ装置により生成される。パケット送信装置又はパケットトランシーバ装置は、端末又は５Ｇネットワークにおけるユーザプレーン機能（user  plane  function,  UPF）ネットワーク要素であってよく、又は将来のネットワーク内の別のネットワーク要素であってよい。これは、本願の実施形態において具体的に限定されない。
【００７４】
＜サービスフロー識別子＞
【００７５】
本願の実施形態では、異なる種類のサービスフローは異なるサービスフロー識別子に対応する。
【００７６】
例えば、サービスフローがＰＤＵセッションであると仮定すると、対応するサービスフロー識別子は、例えば、端末のインターネットプロトコル（internet  protocol,  IP）アドレス又は媒体アクセス制御（media  access  control,  MAC）アドレスのような、端末のアドレスであってよい。
【００７７】
サービスフローがＰＤＵセッションの中の特定のＱｏＳフローであると仮定すると、対応するサービスフロー識別子は、例えば、サービス品質フロー識別子（QoS  flow  identifier,  QFI）であってよい。
【００７８】
サービスフローがＱｏＳフローの中の特定のサービスフローであると仮定すると、対応するサービスフロー識別子は、例えば、５タプルであってよい。本願の実施形態における５タプルは、例えば、ソースＩＰアドレス、宛先ＩＰアドレス、ソースポート番号、宛先ポート番号、及びトランスポートレイヤプロトコル番号を含んでよい。これは概して本願明細書に説明され、詳細は以下で再び説明されない。
【００７９】
＜サービス品質監視パラメータ＞
【００８０】
本願の実施形態におけるサービス品質監視パラメータは、フロー分割リンクのサービス品質を監視するために使用される。
【００８１】
例えば、サービス品質監視パラメータは、監視パケット送信間隔、監視される必要のあるＱｏＳパラメータ、報告閾値、監視パケット送信時点、又は監視パケット送信シーケンス番号を含んでよい。これは、本願の実施形態において具体的に限定されない。
【００８２】
サービス品質監視パラメータの特定の説明については、既存のソリューションを参照し、詳細は本願明細書に記載されない。
【００８３】
以下は、本願の実施形態における添付の図面を参照して、本発明の実施形態における技術的ソリューションを説明する。本願の説明では、「／」は、特に断りのない限り、「又は」を意味する。例えば、Ａ／ＢはＡ又はＢを表してよい。本明細書では、「及び／又は」は、関連付けられたオブジェクトを説明する相関関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。更に、本願の説明において、特に断りのない限り、「複数の」は２つ以上を意味し、「少なくとも１つ」は１つ以上を意味する。更に、本願の実施形態の技術的ソリューションを明確に説明するために、「第１」及び「第２」のような用語は、本願の実施形態において、基本的に同じ機能又は目的を有する同じアイテム又は同様のアイテムの間を区別するために使用される。当業者は、「第１」及び「第２」のような用語が数量又は実行順を限定しないこと、及び、「第１」及び「第２」のような用語が明確な相違を示さないことを理解し得る。
【００８４】
更に、本願の実施形態で説明されるネットワークアーキテクチャ及びサービスシナリオは、本願の実施形態における技術的ソリューションをより明確に説明することを意図しており、本願の実施形態で提供される技術的ソリューションを限定しない。当業者は、ネットワークアーキテクチャが進化し新しいサービスシナリオが出現するとき、本願の実施形態において提供される技術的ソリューションが同様の技術的問題にも適用可能であることを理解し得る。
【００８５】
図３は、本願の一実施形態によるサービス品質監視システム３０を示す。サービス品質監視システム３０は、セッション管理ネットワーク要素３０１、及びユーザプレーン機能ネットワーク要素３０２を含む。
【００８６】
セッション管理ネットワーク要素３０１は、端末のサービスフローの識別子、サービスフローと第１フロー分割リンクの第１フロー分割リンク相関情報とを伝送する第１フロー分割リンクの第１サービス品質監視パラメータ、サービスフローと第２フロー分割リンクの第２フロー分割リンク相関情報とを伝送する第２フロー分割リンクの第２サービス品質監視パラメータを取得し、
サービスフローの識別子、第１サービス品質監視パラメータ、第１フロー分割リンク相関情報、第２サービス品質監視パラメータ、及び第２フロー分割リンク相関情報を、ユーザプレーン機能ネットワーク要素３０２へ送信するよう構成される。
【００８７】
ユーザプレーン機能ネットワーク要素３０２は、サービスフローの識別子、第１サービス品質監視パラメータ、第１フロー分割リンク相関情報、第２サービス品質監視パラメータ、及び第２フロー分割リンク相関情報を、セッション管理ネットワーク要素３０１から受信し、サービスフローの識別子、第１サービス品質監視パラメータ、及び第１フロー分割リンク相関情報を相関し、サービスフローの識別子、第２サービス品質監視パラメータ、及び第２フロー分割リンク相関情報を相関するよう構成される。
【００８８】
サービスフロー又はサービスフローの識別子の関連する説明については、サービスフロー又はサービスフローの識別子の何らかの概要を参照し、詳細は本願明細書に再び記載されない。
【００８９】
第１サービス品質監視パラメータ及び第２サービス品質監視パラメータの関連する説明については、前述のサービス品質監視パラメータの何らかの概要を参照し、詳細は本願明細書に再び記載されない。
【００９０】
任意で、本願の本実施形態では、第１フロー分割リンク相関情報は、第１サービス品質監視パラメータが第１フロー分割リンクのサービス品質を監視するために使用されることを識別するために使用される情報であり、第２フロー分割リンク相関情報は、第２サービス品質監視パラメータが第２フロー分割リンクのサービス品質を監視するために使用されることを識別するために使用される情報である。これは概して本願明細書に説明され、詳細は以下で再び説明されない。
【００９１】
例えば、第１フロー分割リンク相関情報は、第１フロー分割リンクに対応する第１アクセスタイプ、第１フロー分割リンクに対応する第１セッション識別子、第１フロー分割リンクに対応する第１トンネル識別子、又は第１フロー分割リンクに対応する第１監視識別子、のうちの少なくとも１つを含んでよく、第２フロー分割リンク相関情報は、第２フロー分割リンクに対応する第２アクセスタイプ、第２フロー分割リンクに対応する第２セッション識別子、第２フロー分割リンクに対応する第２トンネル識別子、又は第２フロー分割リンクに対応する第２監視識別子、のうちの少なくとも１つを含んでよい。
【００９２】
本願の本実施形態では、第１フロー分割リンクに対応する第１アクセスタイプは、例えば、３ＧＰＰアクセス技術に対応するアクセスタイプであってよく、第２フロー分割リンクに対応する第２アクセスタイプは、例えば、ｎｏｎ−３ＧＰＰアクセス技術に対応するアクセスタイプであってよく、又は、第１フロー分割リンクに対応する第１アクセスタイプ及び第２フロー分割リンクに対応する第２アクセスタイプの両方が、３ＧＰＰアクセス技術に対応するアクセスタイプであってよく、又は、第１フロー分割リンクに対応する第１アクセスタイプ及び第２フロー分割リンクに対応する第２アクセスタイプの両方が、ｎｏｎ−３ＧＰＰアクセス技術に対応するアクセスタイプであってよい、等である。これは、本願の本実施形態において具体的に限定されない。
【００９３】
例えば、３ＧＰＰアクセス技術に対応するアクセスタイプは、セルラネットワークタイプであってよく、ｎｏｎ−３ＧＰＰアクセス技術に対応するアクセスタイプは、固定ネットワークタイプ又はＷＬＡＮタイプであってよい。これは、本願の本実施形態において具体的に限定されない。
【００９４】
本願の本実施形態では、第１フロー分割リンクに対応する第１セッション識別子は、例えば、第１フロー分割リンクに対応する第１セッションのＰＤＵセッション（session）識別子（identity,  ID）であってよく、第２フロー分割リンクに対応する第２セッション識別子は、例えば、第２フロー分割リンクに対応する第２セッションのＰＤＵセッションＩＤであってよい。これは、本願の本実施形態において具体的に限定されない。
【００９５】
本願の本実施形態では、第１フロー分割リンクに対応する第１トンネル識別子は、例えば、ユーザプレーン機能ネットワーク要素のトンネル終端点識別子（tunnel  endpoint  identity,  TEID）、及び対応する第１アクセス装置のＴＥＩＤを含んでよく、又は、第１フロー分割リンクに対応する第１トンネル識別子は、例えば、第１一般ルーティングカプセル化（generic  routing  encapsulation,  GRE）鍵（key）又は第１ＱＦＩを含んでよい。これは、本願の本実施形態において具体的に限定されない。
【００９６】
本願の本実施形態では、第２フロー分割リンクに対応する第２トンネル識別子は、例えば、ユーザプレーン機能ネットワーク要素のＴＥＩＤ、及び対応する第２アクセス装置のＴＥＩＤを含んでよく、又は、第２フロー分割リンクに対応する第２トンネル識別子は、例えば、第２ＧＲＥ  ｋｅｙ又は第２ＱＦＩを含んでよい。これは、本願の本実施形態において具体的に限定されない。
【００９７】
本願の本実施形態では、第１フロー分割リンクに対応する第１監視識別子は、具体的に、第１フロー分割リンク上の監視パケットの識別子であってよく、第２フロー分割リンクに対応する第２監視識別子は、具体的に、第２フロー分割リンク上の監視パケットの識別子であってよい。これは、本願の本実施形態において具体的に限定されない。
【００９８】
例えば、第１監視識別子又は第２監視識別子は、リンク品質認識プロトコル（link  quality  awareness  protocol,  LQAP）ＩＤであってよい。
【００９９】
任意で、本願の本実施形態では、セッション管理ネットワーク要素３０１及びユーザプレーン機能ネットワーク要素３０２は、互いに直接通信してよく、又は別の装置による転送を通じて互いに通信してよい。これは、本願の本実施形態において具体的に限定されない。
【０１００】
本願の本実施形態で提供されるサービス品質監視システムによると、ユーザプレーン機能ネットワーク要素は、端末のサービスフローの識別子、第１サービス品質監視パラメータ、第１フロー分割リンク相関情報、第２サービス品質監視パラメータ、及び第２フロー分割リンク相関情報を、取得し、サービスフローの識別子、第１サービス品質監視パラメータ、及び第１フロー分割リンク相関情報を相関し、サービスフローの識別子、第２サービス品質監視パラメータ、及び第２フロー分割リンク相関情報を相関してよい。従って、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。
【０１０１】
任意で、図３に示すように、本願の本実施形態で提供されるサービス品質監視システム３０は、ポリシ制御ネットワーク要素３０３を更に含んでよい。
【０１０２】
ポリシ制御ネットワーク要素３０３は、セッション管理ネットワーク要素３０１へ第１メッセージを送信するよう構成される。第１メッセージは、サービスフローの識別子及びサービスフローの識別子に対応するフロー分割ポリシを運び、フロー分割ポリシは、サービスフローが第１フロー分割リンク及び第２フロー分割リンクに分割可能であることを示すために使用される。
【０１０３】
相応して、セッション管理ネットワーク要素３０１が、端末のサービスフローの識別子を取得するよう構成されることは、第１メッセージを、ポリシ制御ネットワーク要素３０３から受信することを含む。
【０１０４】
セッション管理ネットワーク要素３０１が、第１フロー分割リンク相関情報及び第２フロー分割リンク相関情報を取得するよう構成されることは、第１フロー分割リンク相関情報及び第２フロー分割リンク相関情報を決定することを含む。
【０１０５】
例えば、本願の本実施形態におけるフロー分割ポリシは、第１フロー分割リンク及び第２フロー分割リンクで送信されてよい。任意で、フロー分割ポリシは、例えば、サービスフローの８０％が第１フロー分割リンクで送信され、サービスフローの２０％が第２フロー分割リンクで送信されることを更に含んでよい。任意で、フロー分割ポリシは、例えば、第１フロー分割リンクの負荷及び第２フロー分割リンクの負荷に基づき、サービスフローが動的に分割されてよいことを更に含んでよい。
【０１０６】
代替として、例えば、本願の本実施形態におけるフロー分割ポリシは、サービスフローが第１フロー分割リンクで優先的に送信され、第１フロー分割リンクのサービス品質（例えば、遅延、ジッタ、又はパケット損失レート）が予め設定された閾値より小さいとき、サービスフローが第２フロー分割リンクへと切り替えられることを含んでよい。
【０１０７】
言い換えると、本願の本実施形態では、セッション管理ネットワーク要素は、ポリシ制御ネットワーク要素により送信されたフロー分割ポリシに従い、サービスフローが第１フロー分割リンク及び第２フロー分割リンクに分割可能であることを学習してよい。次に、セッション管理ネットワーク要素は、第１フロー分割リンクの第１フロー分割リンク相関情報、及び第２フロー分割リンクの第２フロー分割リンク相関情報を決定してよい。
【０１０８】
任意で、本願の本実施形態では、セッション管理ネットワーク要素３０１及びポリシ制御ネットワーク要素３０３は、互いに直接通信してよく、又は別の装置による転送を通じて互いに通信してよい。これは、本願の本実施形態において具体的に限定されない。
【０１０９】
図４は、本願の一実施形態による別のサービス品質監視システム４０を示す。サービス品質監視システム４０は、第１パケット処理装置４０１、及び第２パケット処理装置４０２を含む。
【０１１０】
可能な実装では、第２パケット処理装置４０２は、端末のサービスフローの識別子、サービスフローと第１フロー分割リンクの第１フロー分割リンク相関情報とを伝送する第１フロー分割リンクの第１サービス品質監視パラメータ、サービスフローと第２フロー分割リンクの第２フロー分割リンク相関情報とを伝送する第２フロー分割リンクの第２サービス品質監視パラメータを取得し、サービスフローの識別子、第１サービス品質監視パラメータ、第１フロー分割リンク相関情報、第２サービス品質監視パラメータ、及び第２フロー分割リンク相関情報を、第１パケット処理装置４０１へ、第１フロー分割リンクに対応する第１アクセス装置又は第２フロー分割リンクに対応する第２アクセス装置を使用することにより、送信するよう構成される。
【０１１１】
第１パケット処理装置４０１は、第１アクセス装置又は第２アクセス装置を使用することにより、第２パケット処理装置から送信された、サービスフローの識別子、第１サービス品質監視パラメータ、第１フロー分割リンク相関情報、第２サービス品質監視パラメータ、及び第２フロー分割リンク相関情報を、受信し、サービスフローの識別子、第１サービス品質監視パラメータ、及び第１フロー分割リンク相関情報を相関し、サービスフローの識別子、第２サービス品質監視パラメータ、及び第２フロー分割リンク相関情報を相関するよう構成される。
【０１１２】
別の可能な実装では、第２パケット処理装置４０２は、端末のサービスフローの識別子、サービスフローと第１フロー分割リンクの第１フロー分割リンク相関情報とを伝送する第１フロー分割リンクの第１サービス品質監視パラメータ、サービスフローと第２フロー分割リンクの第２フロー分割リンク相関情報とを伝送する第２フロー分割リンクの第２サービス品質監視パラメータを取得し、サービスフローの識別子、及び第１サービス品質監視パラメータを、第１パケット処理装置４０１へ、第１フロー分割リンク相関情報に基づき、第１フロー分割リンクに対応する第１アクセス装置を使用することにより送信し、サービスフローの識別子、及び第２サービス品質監視パラメータを、第１パケット処理装置４０１へ、第２フロー分割リンク相関情報に基づき、第２フロー分割リンクに対応する第２アクセス装置を使用することにより、送信するよう構成される。
【０１１３】
第１パケット処理装置４０１は、サービスフローの識別子及び第１サービス品質監視パラメータを、第２パケット処理装置４０２から、第１アクセス装置を使用することにより、受信し、第１フロー分割リンクの第３フロー分割リンク相関情報を、第１アクセス装置に関する情報に基づき決定した後に、サービスフローの識別子、第１サービス品質監視パラメータ、及び第３フロー分割リンク相関情報を相関するよう構成される。
【０１１４】
第１パケット処理装置４０１は、サービスフローの識別子及び第２サービス品質監視パラメータを、第２パケット処理装置４０２から、第２アクセス装置を使用することにより、受信し、第２フロー分割リンクの第４フロー分割リンク相関情報を、第２アクセス装置に関する情報に基づき決定した後に、サービスフローの識別子、第２サービス品質監視パラメータ、及び第２フロー分割リンク相関情報を相関するよう構成される。
【０１１５】
任意で、本願の本実施形態では、第３フロー分割リンク相関情報の関連する説明については、第１フロー分割リンク相関情報の関連する説明を参照し、第４フロー分割リンク相関情報の関連する説明については、第２フロー分割リンク相関情報の関連する説明を参照する。詳細はここで再び記載されない。
【０１１６】
任意で、本願の本実施形態の第３フロー分割リンク相関情報は、第１フロー分割リンク相関情報と同じであってよく又は異なってよく、本願の本実施形態の第４フロー分割リンク相関情報は、第２フロー分割リンク相関情報と同じであってよく又は異なってよい。これは、本願の本実施形態において具体的に限定されない。
【０１１７】
本願の本実施形態では、サービスフロー、サービスフローの識別子、第１サービス品質監視パラメータ、第１フロー分割リンク相関情報、第２サービス品質監視パラメータ、及び第２フロー分割リンク相関情報の関連する説明については、図３に示した実施形態を参照し、詳細は本願明細書に再び記載されない。
【０１１８】
任意で、本願の実施形態では、第１パケット処理装置４０１は端末であってよく、第２パケット処理装置４０２はユーザプレーン機能ネットワーク要素であってよく、又は第１パケット処理装置４０１はユーザプレーン機能ネットワーク要素であってよく、第２パケット処理装置４０２は端末であってよい、等である。これは、本願の本実施形態において具体的に限定されない。
【０１１９】
任意で、本願の本実施形態では、第１パケット処理装置４０１及び第２パケット処理装置４０２は、互いに直接通信してよく、又は別の装置による転送を通じて互いに通信してよい。これは、本願の本実施形態において具体的に限定されない。
【０１２０】
本願の本実施形態におけるサービス品質監視システムによると、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。関連する技術的効果については、図３に示した実施形態を参照し、詳細は本願明細書で再び記載されない。
【０１２１】
任意で、図４に示すように、本願の本実施形態で提供されるサービス品質監視システム４０は、セッション管理ネットワーク要素４０３を更に含んでよい。
【０１２２】
セッション管理ネットワーク要素４０３は、第２パケット処理装置４０２へ第１メッセージを送信するよう構成される。第１メッセージは、サービスフローの識別子及びサービスフローの識別子に対応するフロー分割ポリシを運び、フロー分割ポリシは、サービスフローが第１フロー分割リンク及び第２フロー分割リンクに分割可能であることを示すために使用される。
【０１２３】
相応して、第２パケット処理装置４０２が、端末のサービスフローの識別子を取得するよう構成されることは、第１メッセージを、セッション管理ネットワーク要素４０３から受信することを含む。
【０１２４】
第２パケット処理装置４０２が、第１フロー分割リンク相関情報及び第２フロー分割リンク相関情報を取得するよう構成されることは、第１フロー分割リンク相関情報及び第２フロー分割リンク相関情報を決定することを含む。
【０１２５】
フロー分割ポリシの関連する説明については、図３に示した実施形態を参照し、詳細は本願明細書で再び記載されない。
【０１２６】
言い換えると、本願の本実施形態では、第２パケット処理装置４０２は、セッション管理ネットワーク要素４０３により送信されたフロー分割ポリシに従い、サービスフローが第１フロー分割リンク及び第２フロー分割リンクに分割可能であることを学習してよい。次に、第２パケット処理装置４０２は、第１フロー分割リンクの第１フロー分割リンク相関情報、及び第２フロー分割リンクの第２フロー分割リンク相関情報を決定してよい。
【０１２７】
任意で、本願の本実施形態では、セッション管理ネットワーク要素４０３及び第２パケット処理装置４０２は、互いに直接通信してよく、又は別の装置による転送を通じて互いに通信してよい。これは、本願の本実施形態において具体的に限定されない。
【０１２８】
任意で、図３又は図４に示したサービス品質監視システムは、現在の５Ｇネットワークに適用されてよく、又は別の将来のネットワークに適用されてよい。これは、本願の実施形態において具体的に限定されない。
【０１２９】
図３又は図４に示したサービス品質監視システムが現在の５Ｇネットワークに適用される場合、図３又は図４のセッション管理ネットワーク要素に対応するネットワーク要素又はエンティティは、図１に示した５ＧネットワークのＳＭＦネットワーク要素であってよく、図３のユーザプレーン機能ネットワーク要素に対応するネットワーク要素又はエンティティは、図１に示した５ＧネットワークのＵＰＦネットワーク要素であってよく、図３のポリシ制御ネットワーク要素に対応するネットワーク要素又はエンティティは、図１に示した５ＧネットワークのＰＣＦネットワーク要素であってよく、図４の第１パケット処理装置に対応するネットワーク要素又はエンティティは、図１に示した５Ｇネットワークの端末であってよく、第２パケット処理装置に対応するネットワーク要素又はエンティティは、図１に示した５ＧネットワークのＵＰＦネットワーク要素であってよく、図４の第１パケット処理装置に対応するネットワーク要素又はエンティティは、図１に示した５ＧネットワークのＵＰＦネットワーク要素であってよく、第２パケット処理装置に対応するネットワーク要素又はエンティティは、図１に示した５Ｇネットワークの端末であってよい。
【０１３０】
任意で、本願の本実施形態における端末（terminal）は、種々のハンドヘルド装置、車載装置、ウェアラブル装置、又は無線機能若しくは無線モデムに接続された他の処理装置を有するコンピューティング装置、を含んでよい。端末（terminal）は、代替として、加入者ユニット（subscriber  unit）、セルラ電話機（cellular  phone）、スマートフォン（smart  phone）、無線データカード、パーソナルデジタルアシスタント（personal  digital  assistant,  PDA）コンピュータ、タブレットコンピュータ、無線モデム（modem）、ハンドヘルド（handheld）装置、ラップトップコンピュータ（laptop  computer）、コードレス電話機（cordless  phone）、又は無線ローカルループ（wireless  local  loop,  WLL）局、機械型通信（machine  type  communication,  MTC）端末、ユーザ機器（user  equipment,  UE）、移動局（mobile  station,  MS）、端末装置（terminal  device）、中継ユーザ機器、等を含んでよい。中継ユーザ機器は、例えば、５G宅内ゲートウェイ（residential  gateway,  RG）であってよい。説明を容易にするために、本願では、前述の装置は集合的に端末と呼ばれる。
【０１３１】
任意で、本願の本実施形態におけるアクセス装置は、５Ｇコアネットワークにアクセスする装置であり、例えば、図１のＲＡＮ装置又はＮ３Ｇ−ＧＷであってよい。関連する説明については、図１の部分を参照し、詳細は本願明細書で再び記載されない。
【０１３２】
任意で、本願の実施形態では、図３のセッション管理ネットワーク要素又はユーザプレーン機能ネットワーク要素、又は図４の第１パケット処理装置又は第２パケット処理装置は、１つの装置として実装されてよく、又は複数の装置として実装されてよく、又は１つの装置内の機能モジュールであってよい。これは、本願の実施形態において具体的に限定されない。前述の機能は、ハードウェア装置の中のネットワーク要素であってよく、又は専用ハードウェア上で実行するソフトウェア機能であってよく、又はプラットフォーム（例えば、クラウドプラットフォーム）上にインスタンス化された仮想機能であってよい。
【０１３３】
例えば、本願の実施形態では、図３のセッション管理ネットワーク要素又はユーザプレーン機能ネットワーク要素、又は図４の第１パケット処理装置又は第２パケット処理装置は、図５の通信装置として実装されてよい。図５は、本願の一実施形態による通信装置５００のハードウェア構造の概略図である。通信装置５００は、少なくとも１つのプロセッサ５０１、通信線５０２、メモリ５０３、及び少なくとも１つの通信インタフェース５０４を含む。
【０１３４】
プロセッサ５０１は、汎用中央処理ユニット（central  processing  unit,  CPU）、マイクロプロセッサ、特定用途向け集積回路（application−specific  integrated  circuit,  ASIC）、又は本願のソリューションのプログラム実行を制御するよう構成される１つ以上の集積回路であってよい。
【０１３５】
通信線５０２は、前述のコンポーネント間で情報が送信されるチャネルを含んでよい。
【０１３６】
通信インタフェース５０４は、任意のトランシーバを用い、別の装置、又はイーサネット、無線アクセスネットワーク（radio  access  network,  RAN）又は無線ローカルエリアネットワーク（wireless  local  area  network,  WLAN）のような通信ネットワークと通信するよう構成される機器である。
【０１３７】
メモリ５０３は、読み出し専用メモリ（read−only  memory,  ROM）、静的情報及び命令を格納できる別の種類の静的記憶装置、又はランダムアクセスメモリ（random  access  memory,  RAM）、又は情報及び命令を格納できる別の種類の動的記憶装置であってよく、又は電気的消去可能なプログラマブル読み出し専用メモリ（electrically  erasable  programmable  read−only  memory,  EEPROM）、コンパクトディスク読み出し専用メモリ（compact  disc  read−only  memory,  CD−ROM）、又は別のコンパクトディスク記憶装置、光ディスク記憶装置（コンパクト光ディスク、レーザディスク、光ディスク、デジタルバーサタイル光ディスク、ブルーレイディスク、等を含む）、磁気ディスク記憶媒体又は別の磁気記憶装置、又は命令構造形式若しくはデータ構造形式で期待されるプログラムコードを運び又は格納でき且つコンピュータによりアクセス可能な任意の他の媒体であってよい。しかしながら、これはそれらに限定されない。メモリ５０３は、独立に存在してよく、通信線５０２を用いてプロセッサ５０１に接続される。代替として、メモリ５０３は、プロセッサ５０１に統合されてよい。
【０１３８】
メモリ５０３は、本願のソリューションを実行するためのコンピュータ実行可能命令を格納するよう構成され、プロセッサ５０１は、コンピュータ実行可能命令の実行を制御する。プロセッサ５０１は、本願の以下の実施形態で提供されるサービス品質監視方法を実施するために、メモリ５０３に格納されたコンピュータ実行可能命令を実行するよう構成される。
【０１３９】
任意で、本願の本実施形態におけるコンピュータ実行可能命令は、アプリケーションプログラムコードとも呼ばれてよい。これは、本願の本実施形態において具体的に限定されない。
【０１４０】
特定の実装の間、一実施形態において、プロセッサ５０１は、１つ以上のＣＰＵ、例えば図５のＣＰＵ０及びＣＰＵ１を含んでよい。
【０１４１】
特定の実装の間、一実施形態において、通信装置５００は、複数のプロセッサ、例えば図５のプロセッサ５０１及びプロセッサ５０８を含んでよい。プロセッサの各々は、シングルコア（single−CPU）プロセッサであってよく、又はマルチコア（multi−CPU）プロセッサであってよい。プロセッサは、ここでは、データ（例えば、コンピュータプログラム命令）を処理するよう構成される１つ以上の装置、回路、及び／又は処理コアであってよい。
【０１４２】
特定の実装の間、一実施形態において、通信装置５００は、出力装置５０５及び入力装置５０６を更に含んでよい。出力装置５０５は、プロセッサ５０１と通信し、複数の方法で情報を表示してよい。例えば、出力装置５０５は、液晶ディスプレイ（liquid  crystal  display,  LCD）、発光ダイオード（light  emitting  diode,  LED）ディスプレイ装置、陰極線管（cathode  ray  tube,  CRT）ディスプレイ装置、又はプロジェクタ（projector）であってよい。入力装置５０６は、プロセッサ５０１と通信し、複数の方法でユーザ入力を受信してよい。例えば、入力装置５０６は、マウス、キーボード、タッチスクリーン、又はセンサ装置であってよい。
【０１４３】
通信装置５００は、汎用装置又は専用装置であってよい。特定の実装の間、通信装置５００は、デスクトップコンピュータ、ポータブルコンピュータ、ネットワークサーバ、パームトップコンピュータ（personal  digital  assistant,  PDA）、モバイル電話機、タブレットコンピュータ、無線端末装置、埋め込み型装置、又は図５におけるものと同様の構造を有する装置であってよい。通信装置５００の種類は、本願の本実施形態で限定されない。
【０１４４】
以下は、図１〜図５を参照して本願の実施形態で提供されるサービス品質監視方法を詳細に説明する。
【０１４５】
本願の以下の実施形態におけるネットワーク要素間のメッセージの名称、メッセージ内のパラメータの名称、等は、単なる例であり、特定の実装中には他の名称を有してよいことに留意すべきである。これは、本願の実施形態において具体的に限定されない。
【０１４６】
例えば、図３に示したサービス品質監視システムは、図１に示した５Ｇネットワークに適用される。図６Ａ及び図６Ｂは、本願の一実施形態によるサービス品質監視方法を示す。サービス品質監視方法は、以下のステップを含む。
【０１４７】
S６０１。端末は、第１アクセス装置を用いて、サービスフローに対応する第１ＰＤＵセッションを確立する。
【０１４８】
S６０２。端末は、第２アクセス装置を用いて、サービスフローに対応する第２ＰＤＵセッションを確立する。
【０１４９】
例えば、本願の本実施形態では、第１アクセス装置はＲＡＮ装置であってよく、第２アクセス装置はＮ３Ｇ−ＧＷであってよく、又は第１アクセス装置はＮ３Ｇ−ＧＷであってよく、第２アクセス装置はＲＡＮ装置であってよい。これは、本願の本実施形態において具体的に限定されない。
【０１５０】
ステップＳ６０１及びＳ６０２の特定の説明については、既存の実装を参照し、詳細は本願明細書に記載されない。
【０１５１】
S６０３。端末は、第１ＰＤＵセッションを第２ＰＤＵセッションと相関する。
【０１５２】
任意で、本願の本実施形態では、端末が第１第１ＰＤＵセッションを第２ＰＤＵセッションと相関することは、例えば、端末のサービスフローの識別子が、第１ＰＤＵセッション及び第２ＰＤＵセッションの間で教諭されることであってよく、その結果、サービスフローは、第１ＰＤＵセッションと第２ＰＤＵセッションとの間で切り替えできる。特定の説明については、既存の実装を参照し、詳細は本願明細書に記載されない。
【０１５３】
S６０４。ＰＣＦネットワーク要素は、ＰＤＵセッション変更要求（PDU  session  modification  request）１をＳＭＦネットワーク要素へ送信する。その結果、ＳＭＦネットワーク要素は、ＰＤＵセッション変更要求１をＰＣＦネットワーク要素から受信する。
【０１５４】
ＰＤＵセッション変更要求１は、マルチリンクスイッチングの実行され得るサービスフローの識別子及びサービスフローの識別子に対応するフロー分割ポリシを運び、フロー分割ポリシは、サービスフローが第１フロー分割リンク及び第２フロー分割リンクに分割可能であることを示すために使用される。
【０１５５】
フロー分割ポリシ又はサービスフローの識別子の関連する説明については、サービス品質監視システムの前述の実施形態の部分を参照し、詳細は本願明細書に再び記載されない。
【０１５６】
任意で、本願の本実施形態で提供されるサービス品質監視方法は、ステップＳ６０５〜Ｓ６０７を更に含んでよい。
【０１５７】
S６０５。SMFネットワーク要素は、Ｎ４セッション変更要求（N４  session  modification  request）をＵＰＦネットワーク要素へ送信する。その結果、ＵＰＦネットワーク要素は、Ｎ４セッション変更要求をＳＭＦネットワーク要素から受信する。
【０１５８】
Ｎ４セッション変更要求は、マルチアクセスリンクスイッチングの実行され得るサービスフローの識別子、サービスフローと第１フロー分割リンクの第１フロー分割リンク相関情報を伝送する第１フロー分割リンクの第１サービス品質監視パラメータ、及びサービスフローと第２フロー分割リンクの第２フロー分割リンク相関情報を伝送する第２フロー分割リンクの第２サービス品質監視パラメータを運ぶ。
【０１５９】
本願の本実施形態では、サービスフロー、サービスフローの識別子、第１サービス品質監視パラメータ、第１フロー分割リンク相関情報、第２サービス品質監視パラメータ、及び第２フロー分割リンク相関情報の関連する説明については、図３に示した実施形態を参照し、詳細は本願明細書に再び記載されない。
【０１６０】
S６０６。ＵＰＦネットワーク要素は、サービスフローの識別子、第１サービス品質監視パラメータ、第１フロー分割リンク相関情報を相関し、ＵＰＦネットワーク要素は、サービスフローの識別子、第２サービス品質監視パラメータ、第２フロー分割リンク相関情報を相関する。
【０１６１】
留意すべきことに、説明を容易にするために、サービスフローの識別子、第１サービス品質監視パラメータ、対応するフロー分割リンク相関情報（ステップＳ６０６の第１フロー分割リンク相関情報,又は後述する第３フロー分割リンク相関情報を含む）の間の相関は、第１相関と呼ばれてよく、サービスフローの識別子、第２サービス品質監視パラメータ、対応するフロー分割リンク相関情報（ステップＳ６０６の第２フロー分割リンク相関情報,又は後述する第４フロー分割リンク相関情報を含む）の間の相関は、第２相関と呼ばれてよい。これは概して本願明細書に説明され、詳細は以下で再び説明されない。
【０１６２】
留意すべきことに、本願の本実施形態では、第１相関を実行することは、例えば、サービスフローの識別子、第１サービス品質監視パラメータ、対応するフロー分割リンク相関情報（ステップＳ６０６の第１フロー分割リンク相関情報,又は後述する第３フロー分割リンク相関情報を含む）の間の第１対応を格納する又は確立することであってよく、第２相関を実行することは、例えば、サービスフローの識別子、第２サービス品質監視パラメータ、対応するフロー分割リンク相関情報（ステップＳ６０６の第２フロー分割リンク相関情報,又は後述する第４フロー分割リンク相関情報を含む）の間の第２対応を格納する又は確立することであってよい。これは概して本願明細書に説明され、詳細は以下で再び説明されない。
【０１６３】
ＵＰＦネットワーク要素が第１相関を実行した後に、ＵＰＦネットワーク要素は、第１フロー分割リンクのサービス品質を、第１対応に基づき監視してよい。ＵＰＦネットワーク要素が第２相関を実行した後に、ＵＰＦネットワーク要素は、第２フロー分割リンクのサービス品質を、第２対応に基づき監視してよい。これは、本願の本実施形態において具体的に限定されない。
【０１６４】
例えば、ＵＰＦネットワーク要素は、フロー分割リンク相関情報及び第１対応の中のサービスフローの識別子に基づき、サービスフローを伝送する第１フロー分割リンクのサービス品質が監視されるべきであることを学習してよい。ＵＰＦネットワーク要素は、第１対応の中の第１サービス品質に基づき、第１フロー分割リンクのサービス品質を監視するために使用される特定の監視パラメータを学習してよい。従って、１つのサービスのために複数の利用可能なリンクがあるシナリオでは、ＵＰＦネットワーク要素は、監視される必要のあるフロー分割リンクのサービス品質を決定して、異なるフロー分割リンク上で切り替えるサービスのためのポリシの基礎を提供してよい。
【０１６５】
S６０７。UPFネットワーク要素は、Ｎ４セッション変更応答（N４  session  modification  response）をSMFネットワーク要素へ送信する。その結果、SMFネットワーク要素は、Ｎ４セッション変更応答をUPFネットワーク要素から受信する。
【０１６６】
任意で、本願の本実施形態で提供されるサービス品質監視方法は、以下の３つのケースのうちのいずれか１つを更に含んでよい。
【０１６７】
ケース１。任意で、本願の本実施形態で提供されるサービス品質監視方法は、ステップＳ６０８ａ〜Ｓ６１２ａを更に含んでよい。
【０１６８】
Ｓ６０８ａ。SMFネットワーク要素は、N２セッション変更要求（N２  session  modification  request）を第１アクセス装置へ送信する。その結果、第１アクセス装置は、N２セッション変更要求をＳＭＦネットワーク要素から受信する。
【０１６９】
N２セッション変更要求は、サービスフローの識別子、第１サービス品質監視パラメータ、第１フロー分割リンク相関情報、第２サービス品質監視パラメータ、及び第２フロー分割リンク相関情報を運ぶ。
【０１７０】
S６０９a。第１アクセス装置は、ＰＤＵセッション変更要求２を端末へ送信する。その結果、端末は、ＰＤＵセッション変更要求２を第１アクセス装置から受信する。
【０１７１】
ＰＤＵセッション変更要求は、サービスフローの識別子、第１サービス品質監視パラメータ、第１フロー分割リンク相関情報、第２サービス品質監視パラメータ、及び第２フロー分割リンク相関情報を運ぶ。
【０１７２】
S６１０a。このステップは、ステップS６０６と同様である。違いは、例えば、ステップS６０６のＵＰＦネットワーク要素が端末で置き換えられる。関連する説明については、ステップＳ６０６を参照し、詳細は本願明細書で再び記載されない。
【０１７３】
S６１１a。端末は、ＰＤＵセッション変更要求２を第１アクセス装置へ送信する。その結果、第１アクセス装置は、ＰＤＵセッション変更要求２を端末から受信する。
【０１７４】
S６１２a。第１アクセス装置は、Ｎ２セッション変更応答をSMFネットワーク要素へ送信する。その結果、SMFネットワーク要素は、N２セッション変更応答を第１アクセス装置から受信する。
【０１７５】
留意すべきことに、本願の本実施形態では、ステップＳ６１１ａ及びステップＳ６１２ａは任意的ステップである。これは概して本願明細書に説明され、詳細は以下で再び説明されない。
【０１７６】
ケース２。任意で、本願の本実施形態で提供されるサービス品質監視方法は、ステップＳ６０８ｂ〜Ｓ６１２ｂを更に含んでよい。
【０１７７】
Ｓ６０８ｂ〜Ｓ６１２ｂ。これらのステップは、Ｓ６０８ａ〜Ｓ６１２ａと同様である。違いは、例えば、ステップＳ６０８ａ〜Ｓ６１２ａの第１アクセス装置が第２アクセス装置で置き換えられる。関連する説明については、ステップＳ６０８ａ〜Ｓ６１２ａを参照し、詳細は本願明細書で再び記載されない。
【０１７８】
ケース３。任意で、本願の本実施形態で提供されるサービス品質監視方法は、ステップS６０８c〜S６１７を更に含んでよい。
【０１７９】
S６０８c。SMFネットワーク要素は、N２セッション変更要求１を第１アクセス装置へ送信する。その結果、第１アクセス装置は、N２セッション変更要求１をＳＭＦネットワーク要素から受信する。
【０１８０】
N２セッション変更要求１は、サービスフローの識別子、及び第１サービス品質監視パラメータを運ぶ。
【０１８１】
S６０９c。第１アクセス装置は、ＰＤＵセッション変更要求３を端末へ送信する。その結果、端末は、ＰＤＵセッション変更要求３を第１アクセス装置から受信する。
【０１８２】
ＰＤＵセッション変更要求３は、サービスフローの識別子、及び第１サービス品質監視パラメータを運ぶ。
【０１８３】
S６１０c。端末は、サービスフローの識別子、第１サービス品質監視パラメータ、及び第３フロー分割リンク相関情報を相関する。
【０１８４】
任意で、本願の本実施形態では、第３フロー分割リンク相関情報は、第１アクセス装置に関する情報に基づき決定されてよい。言い換えると、端末は、第３フロー分割リンク相関情報を、ＰＤＵセッション変更要求３を伝送するために使用されるフロー分割リンクの状態に基づき、決定してよく、第１フロー分割リンクに関する情報をＰＤＵセッション変更要求３に追加する必要はない。
【０１８５】
第３フロー分割リンク相関情報の関連する説明については、サービス品質監視システムの前述の実施形態の部分を参照し、詳細は本願明細書に再び記載されない。
【０１８６】
任意で、本願の本実施形態では、ＰＤＵセッション変更要求３は、第１フロー分割リンク相関情報を更に運んでよい。その結果、端末は、サービスフローの識別子、第１サービス品質監視パラメータ、及び第１フロー分割リンク相関情報を相関できる。これは、本願の本実施形態において具体的に限定されない。
【０１８７】
任意で、本願の本実施形態における、端末が第１相関を実行する特定の実装については、ステップＳ６０６を参照し、詳細は本願明細書に再び記載されない。
【０１８８】
端末が第１相関を実行した後に、端末は、第１フロー分割リンクのサービス品質を、第１対応に基づき監視してよい。関連する例については、ステップＳ６０６を参照し、詳細は本願明細書で再び記載されない。
【０１８９】
S６１１c。端末は、ＰＤＵセッション変更要求３を第１アクセス装置へ送信する。その結果、第１アクセス装置は、ＰＤＵセッション変更要求３を端末から受信する。
【０１９０】
S６１２c。第１アクセス装置は、Ｎ２セッション変更応答１をSMFネットワーク要素へ送信する。その結果、SMFネットワーク要素は、N２セッション変更応答１を第１アクセス装置から受信する。
【０１９１】
留意すべきことに、本願の本実施形態では、ステップＳ６１１ａ及びステップＳ６１２ａは任意的ステップである。これは概して本願明細書に説明され、詳細は以下で再び説明されない。
【０１９２】
S６１３。SMFネットワーク要素は、N２セッション変更要求２を第２アクセス装置へ送信する。その結果、第２アクセス装置は、N２セッション変更要求２をＳＭＦネットワーク要素から受信する。
【０１９３】
N２セッション変更要求２は、サービスフローの識別子、及び第２サービス品質監視パラメータを運ぶ。
【０１９４】
S６１４。第２アクセス装置は、ＰＤＵセッション変更要求４を端末へ送信する。その結果、端末は、ＰＤＵセッション変更要求４を第２アクセス装置から受信する。
【０１９５】
ＰＤＵセッション変更要求４は、サービスフローの識別子、及び第２サービス品質監視パラメータを運ぶ。
【０１９６】
S６１５。端末は、サービスフローの識別子、第２サービス品質監視パラメータ、及び第４フロー分割リンク相関情報を相関する。
【０１９７】
任意で、本願の本実施形態では、第４フロー分割リンク相関情報は、第２アクセス装置に関する情報に基づき決定されてよい。言い換えると、端末は、第４フロー分割リンク相関情報を、ＰＤＵセッション変更要求３を伝送するために使用されるフロー分割リンクの状態に基づき、決定してよく、第２フロー分割リンクに関する情報をＰＤＵセッション変更要求３に追加する必要はない。
【０１９８】
第４フロー分割リンク相関情報の関連する説明については、サービス品質監視システムの前述の実施形態の部分を参照し、詳細は本願明細書に再び記載されない。
【０１９９】
任意で、本願の本実施形態では、ＰＤＵセッション変更要求４は、第２フロー分割リンク相関情報を更に運んでよい。その結果、端末は、サービスフローの識別子、第１サービス品質監視パラメータ、及び第２フロー分割リンク相関情報を相関できる。これは、本願の本実施形態において具体的に限定されない。
【０２００】
任意で、本願の本実施形態における、端末が第２相関を実行する特定の実装については、ステップＳ６０６を参照し、詳細は本願明細書に再び記載されない。
【０２０１】
S６１６。端末は、ＰＤＵセッション変更要求４を第２アクセス装置へ送信する。その結果、第２アクセス装置は、ＰＤＵセッション変更要求４を端末から受信する。
【０２０２】
S６１７。第２アクセス装置は、Ｎ２セッション変更応答２をSMFネットワーク要素へ送信する。その結果、SMFネットワーク要素は、N２セッション変更応答１を第２アクセス装置から受信する。
【０２０３】
留意すべきことに、本願の本実施形態では、ステップS６１６及びステップS６１７は任意的ステップである。これは概して本願明細書に説明され、詳細は以下で再び説明されない。
【０２０４】
留意すべきことに、本願の本実施形態において、必ずしもステップＳ６０８ｃ〜Ｓ６１２ｃ及びステップＳ６１３〜Ｓ６１７を実行する順序は存在しない。ステップＳ６０８ｃ〜Ｓ６１２ｃは、ステップＳ６１３〜Ｓ６１７の前に実行されてよい。代替として、ステップS６１３〜S６１７は、ステップS６０８c〜S６１２cの前に実行されてよい。代替として、ステップＳ６０８ｃ〜Ｓ６１２ｃは、ステップＳ６１３〜Ｓ６１７と同時に実行されてよい。これは、本願の本実施形態において具体的に限定されない。
【０２０５】
留意すべきことに、本願の本実施形態で提供されるサービス品質監視方法がステップＳ６０５〜Ｓ６０７、及びステップＳ６０８ａ〜Ｓ６１２ａ、又はステップＳ６０８ｂ〜Ｓ６１２ｂ、又はステップＳ６０８ｃ〜Ｓ６１７を含む場合、必ずしもステップＳ６０５〜Ｓ６０７、及びステップＳ６０８ａ〜Ｓ６１２ａ、又はステップＳ６０８ｂ〜Ｓ６１２ｂ、又はステップＳ６０８ｃ〜Ｓ６１７を実行する順序は存在しない。ステップＳ６０５〜Ｓ６０７は、ステップＳ６０８ａ〜Ｓ６１２ａ、又はステップＳ６０８ｂ〜Ｓ６１２ｂ、又はステップＳ６０８ｃ〜Ｓ６１７の前に実行されてよい。代替として、ステップＳ６０８ａ〜Ｓ６１２ａ、又はステップＳ６０８ｂ〜Ｓ６１２ｂ、又はステップＳ６０８ｃ〜Ｓ６１７は、ステップＳ６０５〜Ｓ６０７の前に実行されてよい。代替として、ステップＳ６０８ａ〜Ｓ６１２ａは、又はステップＳ６０８ｂ〜Ｓ６１２ｂ、又はステップＳ６０８ｃ〜Ｓ６１７は、ステップＳ６０５〜Ｓ６０７と同時に実行されてよい。これは、本願の本実施形態において具体的に限定されない。
【０２０６】
本願の本実施形態におけるサービス品質監視方法によると、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。関連する技術的効果の分析については、サービス品質監視システムの前述の部分を参照し、詳細は本願明細書に再び記載されない。
【０２０７】
ステップＳ６０１〜Ｓ６１７におけるＳＭＦネットワーク要素、ＵＰＦネットワーク要素、又は端末の動作は、図５に示す通信装置５００の中のプロセッサ５０１により、メモリ５０３に格納されたアプリケーションプログラムコードを呼び出すことにより実行されてよい。これは、本実施形態において限定されない。
【０２０８】
例えば、図４に示したサービス品質監視システムは、図１に示した５Ｇネットワークに適用される。図７Ａ及び図７Ｂは、本願の一実施形態によるサービス品質監視方法を示す。サービス品質監視方法は、以下のステップを含む。
【０２０９】
S７０１〜S７０４。これらのステップは、S６０１〜S６０４と同様である。関連する説明については、図６Ａ及び図６Ｂに示した実施形態を参照し、詳細は本願明細書で再び記載されない。
【０２１０】
S７０５。SMFネットワーク要素は、Ｎ４セッション変更要求をＵＰＦネットワーク要素へ送信する。その結果、ＵＰＦネットワーク要素は、Ｎ４セッション変更要求をＳＭＦネットワーク要素から受信する。
【０２１１】
Ｎ４セッション変更要求は、サービスフローの識別子、及びサービスフローの識別子に対応するフロー分割ポリシを運ぶ。
【０２１２】
S７０６。UPFネットワーク要素は、Ｎ４セッション変更応答をSMFネットワーク要素へ送信する。その結果、SMFネットワーク要素は、Ｎ４セッション変更応答をUPFネットワーク要素から受信する。
【０２１３】
本願の本実施形態で提供されるサービス品質監視方法は、以下の２つのケースのうちのいずれかを更に含んでよい。
【０２１４】
ケース１。任意で、本願の本実施形態で提供されるサービス品質監視方法は、ステップS７０７a及びS７０８aを更に含んでよい。
【０２１５】
S７０７a。SMFネットワーク要素は、N２セッション変更要求を第１アクセス装置へ送信する。その結果、第１アクセス装置は、N２セッション変更要求をＳＭＦネットワーク要素から受信する。
【０２１６】
N２セッション変更要求は、サービスフローの識別子、及びサービスフローの識別子に対応するフロー分割ポリシを運ぶ。
【０２１７】
S７０８a。第１アクセス装置は、ＰＤＵセッション変更要求２を端末へ送信する。その結果、端末は、ＰＤＵセッション変更要求２を第１アクセス装置から受信する。
【０２１８】
ＰＤＵセッション変更要求２は、サービスフローの識別子、及びサービスフローの識別子に対応するフロー分割ポリシを運ぶ。その結果、端末は、サービスフローの識別子及び対応するフロー分割ポリシを格納できる。従って、端末は、続いて、フロー分割ポリシに従いサービスフローを分割してよい。これは、本願の本実施形態において具体的に限定されない。
【０２１９】
ケース２。任意で、本願の本実施形態で提供されるサービス品質監視方法は、ステップS７０７b及びS７０８bを更に含んでよい。
【０２２０】
Ｓ７０７ｂ及びＳ７０８ｂ。これらのステップは、S６０７a及びS６０８aと同様である。違いは、例えば、ステップS６０７a及びS６０８aの第１アクセス装置が第２アクセス装置で置き換えられる。関連する説明については、ステップS６０７a及びS６０８aを参照し、詳細は本願明細書で再び記載されない。
【０２２１】
本願の本実施形態で提供されるサービス品質監視方法は、以下の３つのケースのうちのいずれか１つを更に含んでよい。
【０２２２】
ケース１。任意で、本願の本実施形態で提供されるサービス品質監視方法は、ステップS７０９a〜S７１１aを更に含んでよい。
【０２２３】
S７０９a。ＵＰＦネットワーク要素は、サービス品質監視コネクション確立要求を、端末へ、第１アクセス装置を使用することにより、送信する。その結果、端末は、サービス品質監視コネクション確立要求を、ＵＰＦネットワーク要素から、第１アクセス装置を使用することにより、受信する。
【０２２４】
サービス品質監視コネクション確立要求は、サービスフローの識別子、第１サービス品質監視パラメータ、第１フロー分割リンク相関情報、第２サービス品質監視パラメータ、及び第２フロー分割リンク相関情報を運ぶ。
【０２２５】
S７１０a。このステップは、ステップS６１０aと同様である。関連する説明については、図６Ａ及び図６Ｂに示した実施形態を参照し、詳細は本願明細書で再び記載されない。
【０２２６】
S７１１a。端末は、サービス品質監視コネクション確立応答を、ＵＰＦネットワーク要素へ、第１アクセス装置を使用することにより、送信する。その結果、ＵＰＦネットワーク要素は、サービス品質監視コネクション確立応答を、端末から、第１アクセス装置を使用することにより、受信する。
【０２２７】
留意すべきことに、本願の本実施形態では、ステップS７１１aは任意的ステップである。これは概して本願明細書に説明され、詳細は以下で再び説明されない。
【０２２８】
ケース２。任意で、本願の本実施形態で提供されるサービス品質監視方法は、ステップS７０９b〜S７１１bを更に含んでよい。
【０２２９】
S７０９b〜S７１１b。これらのステップは、S７０９a〜S７１１aと同様である。違いは、例えば、ステップS７０９a〜S７１１aの第１アクセス装置が第２アクセス装置で置き換えられる。関連する説明については、ステップS７０９a〜S７１１aを参照し、詳細は本願明細書で再び記載されない。
【０２３０】
ケース３。任意で、本願の本実施形態で提供されるサービス品質監視方法は、ステップS７０９c〜S７１４を更に含んでよい。
【０２３１】
S７０９c。ＵＰＦネットワーク要素は、サービス品質監視コネクション確立要求１を、端末へ、第１アクセス装置を使用することにより、送信する。その結果、端末は、サービス品質監視コネクション確立要求１を、ＵＰＦネットワーク要素から、第１アクセス装置を使用することにより、受信する。
【０２３２】
サービス品質監視コネクション確立要求１は、サービスフローの識別子、及び第１サービス品質監視パラメータを運ぶ。
【０２３３】
S７１０c。このステップは、ステップS６１０cと同様である。関連する説明については、図６Ａ及び図６Ｂに示した実施形態を参照し、詳細は本願明細書で再び記載されない。
【０２３４】
S７１１c。端末は、サービス品質監視コネクション確立応答１を、ＵＰＦネットワーク要素へ、第１アクセス装置を使用することにより、送信する。その結果、ＵＰＦネットワーク要素は、サービス品質監視コネクション確立応答１を、端末から、第１アクセス装置を使用することにより、受信する。
【０２３５】
留意すべきことに、本願の本実施形態では、ステップS７１１cは任意的ステップである。これは概して本願明細書に説明され、詳細は以下で再び説明されない。
【０２３６】
S７１２。ＵＰＦネットワーク要素は、サービス品質監視コネクション確立要求２を、端末へ、第２アクセス装置を使用することにより、送信する。その結果、端末は、サービス品質監視コネクション確立要求２を、ＵＰＦネットワーク要素から、第２アクセス装置を使用することにより、受信する。
【０２３７】
サービス品質監視コネクション確立要求２は、サービスフローの識別子、及び第２サービス品質監視パラメータを運ぶ。
【０２３８】
S７１３。このステップは、ステップS６１５と同様である。関連する説明については、図６Ａ及び図６Ｂに示した実施形態を参照し、詳細は本願明細書で再び記載されない。
【０２３９】
S７１４。端末は、サービス品質監視コネクション確立応答１を、ＵＰＦネットワーク要素へ、第２アクセス装置を使用することにより、送信する。その結果、ＵＰＦネットワーク要素は、サービス品質監視コネクション確立応答１を、端末から、第２アクセス装置を使用することにより、受信する。
【０２４０】
留意すべきことに、本願の本実施形態では、ステップS７１４は任意的ステップである。これは概して本願明細書に説明され、詳細は以下で再び説明されない。
【０２４１】
留意すべきことに、本願の本実施形態において、必ずしもステップS７０９c〜S７１１c及びステップS７１２〜S７１４を実行する順序は存在しない。ステップS７０９c〜S７１１cは、ステップS７１２〜S７１４の前に実行されてよい。代替として、ステップS７１２〜S７１４は、ステップS７０９c〜S７１１cの前に実行されてよい。代替として、ステップS７０９c〜S７１１cは、ステップS７１２〜S７１４と同時に実行されてよい。これは、本願の本実施形態において具体的に限定されない。
【０２４２】
本願の本実施形態におけるサービス品質監視方法によると、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。関連する技術的効果の分析については、サービス品質監視システムの前述の部分を参照し、詳細は本願明細書に再び記載されない。
【０２４３】
ステップS７０１〜S７１４におけるＳＭＦネットワーク要素、ＵＰＦネットワーク要素、又は端末の動作は、図５に示す通信装置５００の中のプロセッサ５０１により、メモリ５０３に格納されたアプリケーションプログラムコードを呼び出すことにより実行されてよい。これは、本実施形態において限定されない。
【０２４４】
例えば、図４に示したサービス品質監視システムは、図１に示した５Ｇネットワークに適用される。図８Ａ及び図８Ｂは、本願の一実施形態によるサービス品質監視方法を示す。サービス品質監視方法は、以下のステップを含む。
【０２４５】
S８０１〜S８０８b。これらのステップは、S７０１〜S７０７bと同様である。関連する説明については、図７Ａ及び図７Ｂに示した実施形態を参照し、詳細は本願明細書で再び記載されない。
【０２４６】
本願の本実施形態で提供されるサービス品質監視方法は、以下の３つのケースのうちのいずれか１つを更に含んでよい。
【０２４７】
ケース１。任意で、本願の本実施形態で提供されるサービス品質監視方法は、ステップS８０９a〜S８１１aを更に含んでよい。
【０２４８】
S８０９a〜S８１１a。これらのステップは、S７０９a〜S７１１aと同様である。違いは、例えば、ステップＳ７０９ａ〜Ｓ７１１ａの端末が、ＵＰＦネットワーク要素で置き換えられ、ステップＳ７０９ａ〜Ｓ７１１ａのＵＰＦネットワーク要素が端末で置き換えられる。関連する説明については、ステップS７０９a〜S７１１aを参照し、詳細は本願明細書で再び記載されない。
【０２４９】
ケース２。任意で、本願の本実施形態で提供されるサービス品質監視方法は、ステップS８０９b〜S８１１bを更に含んでよい。
【０２５０】
S８０９b〜S８１１b。これらのステップは、S７０９a〜S７１１bと同様である。違いは、例えば、ステップS７０９b〜S７１１bの端末が、ＵＰＦネットワーク要素で置き換えられ、ステップS７０９b〜S７１１bのＵＰＦネットワーク要素が端末で置き換えられる。関連する説明については、ステップS７０９b〜S７１１bを参照し、詳細は本願明細書で再び記載されない。
【０２５１】
ケース３。任意で、本願の本実施形態で提供されるサービス品質監視方法は、ステップS８０９c〜S８１４を更に含んでよい。
【０２５２】
S８０９c〜S８１４。これらのステップは、S７０９c〜S７１４と同様である。違いは、例えば、ステップS７０９c〜S７１４の端末が、ＵＰＦネットワーク要素で置き換えられ、ステップS７０９c〜S７１４のＵＰＦネットワーク要素が端末で置き換えられる。関連する説明については、ステップS７０９c〜S７１４を参照し、詳細は本願明細書で再び記載されない。
【０２５３】
本願の本実施形態におけるサービス品質監視方法によると、マルチアクセスシナリオで、言い換えると、１つのサービスのために複数の利用可能なリンクがあるシナリオで、マルチアクセスリンクのサービス品質が監視されて、異なるフロー分割リンク上で切り替えるサービスのためにポリシの基礎を提供し得る。関連する技術的効果の分析については、サービス品質監視システムの前述の部分を参照し、詳細は本願明細書に再び記載されない。
【０２５４】
ステップS８０１〜S８１４におけるＳＭＦネットワーク要素、ＵＰＦネットワーク要素、又は端末の動作は、図５に示す通信装置５００の中のプロセッサ５０１により、メモリ５０３に格納されたアプリケーションプログラムコードを呼び出すことにより実行されてよい。これは、本実施形態において限定されない。
【０２５５】
第１フロー分割リンクに対応する第１サービス品質監視コネクションの確立、及び第２フロー分割リンクに対応する第２サービス品質監視コネクションの確立が同時に開始される一例は、図５〜図７Ａ及び図７Ｂを説明するために使用される。任意で、本願の実施形態では、第１フロー分割リンクに対応する第１サービス品質監視コネクションは、先ず、前述の方法と同様の方法に従い確立されてよい。更に、ポリシに従い、サービスフローが第２フロー分割リンクに分割される必要があると決定された後に、第２フロー分割リンクに対応する第２サービス品質監視コネクションが、前述の方法と同様の方法に従い確立される。これは、本願の実施形態において具体的に限定されない。
【０２５６】
更に、任意で、本願の前述の実施形態で、サービスフローが第１フロー分割リンク及び第２フロー分割リンクに分割される一例が、説明のために使用される。勿論、サービスフローは、代替として、２より多くのフロー分割リンクに分割されてよい。例えば、サービスフローは、第１フロー分割リンク、第２フロー分割リンク、及び第３フロー分割リンクに分割される。この場合、各フロー分割リンクに対応するサービス品質監視コネクションを確立する方法については、図５〜図７Ａ及び図７Ｂに示した前述の実施形態を参照し、詳細は本願明細書に再び記載されない。
【０２５７】
本願の実施形態で提供されるソリューションは、主にネットワーク要素間の相互作用の観点から説明された。前述の機能を実装するために、通信装置又は第１パケット処理装置は、前述の機能を実行する対応するハードウェア構造及び／又はソフトウェアモジュールを含むことが理解できる。当業者は、本明細書に開示された実施形態で説明された例を組み合わせて、ユニット及びアルゴリズムステップが本願においてハードウェア又はハードウェアとコンピュータソフトウェアとの組み合わせにより実装されてよいことを容易に認識すべきである。特定の機能がハードウェア又はコンピュータソフトウェアにより駆動されるハードウェアにより実行されるかは、技術的ソリューションの特定の適用及び設計制約に依存する。当業者は、特定の適用毎に、記載の機能を実施するために異なる方法を使用してよいが、実装が本願の範囲を超えると考えられるべきではない。
【０２５８】
本願の実施形態では、通信装置又は第１パケット処理装置の機能モジュールは、前述の方法の例に基づく分割を通じて取得されてよい。例えば、機能モジュールは、対応する機能に基づき分割を通じ得られてよく、又は２つ以上の機能が１つの処理モジュールに統合されてよい。前述の統合されたモジュールは、ハードウェアの形式で実装されてよく、又はソフトウェア機能モジュールの形式で実装されてよい。留意すべきことに、本願の実施形態では、モジュール分割は一例であり、単なる論理的機能分割であり、実際の実装中に他の分割であってよい。
【０２５９】
例えば、機能モジュールが統合方法で分割を通じて得られる場合、図９は、通信装置９０の概略構造図である。通信装置９０は、処理モジュール９０１及びトランシーバモジュール９０２を含む。処理モジュール９０１は、端末のサービスフローの識別子、サービスフローと第１フロー分割リンクの第１フロー分割リンク相関情報を伝送する第１フロー分割リンクの第１サービス品質監視パラメータ、及びサービスフローと第２フロー分割リンクの第２フロー分割リンク相関情報を伝送する第２フロー分割リンクの第２サービス品質監視パラメータを取得するよう構成される。トランシーバモジュール９０２は、サービスフローの識別子、第１サービス品質監視パラメータ、第１フロー分割リンク相関情報、第２サービス品質監視パラメータ、及び第２フロー分割リンク相関情報に基づき、第１フロー分割リンクに対応する第１サービス品質監視コネクション及び第２フロー分割リンクに対応する第２サービス品質監視コネクションの確立を開始するよう構成される。
【０２６０】
任意で、通信装置９０は、セッション管理ネットワーク要素である。相応して、処理モジュール９０１が、端末のサービスフローの識別子を取得するよう構成されることは、ポリシ制御ネットワーク要素から、第１メッセージを受信することを含み、第１メッセージは、サービスフローの識別子と、サービスフローの識別子に対応するフロー分割ポリシと、を運び、フロー分割ポリシは、サービスフローが第１フロー分割リンク及び第２フロー分割リンクに分割可能であることを示すために使用され、処理モジュール９０１が、第１フロー分割リンクの第１フロー分割リンク相関情報、及び第２フロー分割リンクの第２フロー分割リンク相関情報を取得するよう構成されることは、第１フロー分割リンクの第１フロー分割リンク相関情報、及び第２フロー分割リンクの第２フロー分割リンク相関情報を決定することを含む。
【０２６１】
可能な実装では、通信装置９０は、セッション管理ネットワーク要素である。トランシーバモジュール９０２は、具体的に、サービスフローの識別子、第１サービス品質監視パラメータ、第１フロー分割リンク相関情報、第２サービス品質監視パラメータ、及び第２フロー分割リンク相関情報を、ユーザプレーン機能ネットワーク要素へ送信するよう構成される。
【０２６２】
代替として、トランシーバモジュール９０２は、具体的に、サービスフローの識別子、第１サービス品質監視パラメータ、第１フロー分割リンク相関情報、第２サービス品質監視パラメータ、第２フロー分割リンク相関情報を、端末へ、第１フロー分割リンクに対応する第１アクセス装置又は第２フロー分割リンクに対応する第２アクセス装置を使用することにより、送信するよう構成され、サービスフローの識別子、第１サービス品質監視パラメータ、及び第１フロー分割リンク相関情報は、第１フロー分割リンクのサービス品質を監視するために使用され、サービスフローの識別子、第２サービス品質監視パラメータ、及び第２フロー分割リンク相関情報は、第２フロー分割リンクのサービス品質を監視するために使用される。
【０２６３】
別の可能な実装では、通信装置９０は、セッション管理ネットワーク要素である。トランシーバモジュール９０２は、具体的に、サービスフローの前記識別子、第１サービス品質監視パラメータ、第１フロー分割リンク相関情報、第２サービス品質監視パラメータ、第２フロー分割リンク相関情報を、ユーザプレーン機能ネットワーク要素へ、送信するよう構成され、サービスフローの識別子、第１サービス品質監視パラメータ、及び第１フロー分割リンク相関情報は、第１フロー分割リンクのサービス品質を監視するために使用され、サービスフローの識別子、第２サービス品質監視パラメータ、及び第２フロー分割リンク相関情報は、第２フロー分割リンクのサービス品質を監視するために使用される。
【０２６４】
トランシーバモジュール９０２は、具体的に、サービスフローの識別子、及び第１サービス品質監視パラメータを、端末へ、第１フロー分割リンク相関情報に基づき、第１フロー分割リンクに対応する第１アクセス装置を使用することにより、送信し、サービスフローの識別子及び第１サービス品質監視パラメータは、第１フロー分割リンクのサービス品質を監視するために使用され、サービスフローの識別子、及び第２サービス品質監視パラメータを、端末へ、第２フロー分割リンク相関情報に基づき、第２フロー分割リンクに対応する第２アクセス装置を使用することにより、送信し、サービスフローの識別子及び第２サービス品質監視パラメータは、第２フロー分割リンクのサービス品質を監視するために使用される。
【０２６５】
任意で、通信装置は、端末又はユーザプレーン機能ネットワーク要素を含む。相応して、処理モジュール９０１が、端末のサービスフローの識別子を取得するよう構成されることは、セッション管理ネットワーク要素から、第２メッセージを受信することを含み、第２メッセージは、サービスフローの識別子と、サービスフローの識別子に対応するフロー分割ポリシと、を運び、フロー分割ポリシは、サービスフローが第１フロー分割リンク及び第２フロー分割リンクに分割可能であることを示すために使用され、処理モジュール９０１が、第１フロー分割リンクの第１フロー分割リンク相関情報、及び第２フロー分割リンクの第２フロー分割リンク相関情報を取得するよう構成されることは、第１フロー分割リンクの第１フロー分割リンク相関情報、及び第２フロー分割リンクの第２フロー分割リンク相関情報を決定することを含む。
【０２６６】
可能な実装では、通信装置は、ユーザプレーン機能ネットワーク要素であり、トランシーバモジュール９０２は、具体的に、サービスフローの識別子、第１サービス品質監視パラメータ、第１フロー分割リンク相関情報、第２サービス品質監視パラメータ、第２フロー分割リンク相関情報を、端末へ、第１フロー分割リンクに対応する第１アクセス装置又は第２フロー分割リンクに対応する第２アクセス装置を使用することにより、送信するよう構成され、サービスフローの識別子、第１サービス品質監視パラメータ、及び第１フロー分割リンク相関情報は、第１フロー分割リンクのサービス品質を監視するために使用され、サービスフローの識別子、第２サービス品質監視パラメータ、及び第２フロー分割リンク相関情報は、第２フロー分割リンクのサービス品質を監視するために使用される。
【０２６７】
別の可能な実装では、通信装置は、ユーザプレーン機能ネットワーク要素であり、トランシーバモジュール９０２は、具体的に、サービスフローの識別子、及び第１サービス品質監視パラメータを、端末へ、第１フロー分割リンク相関情報に基づき、第１フロー分割リンクに対応する第１アクセス装置を使用することにより、送信し、サービスフローの識別子及び第１サービス品質監視パラメータは、第１フロー分割リンクのサービス品質を監視するために使用され、サービスフローの識別子、及び第２サービス品質監視パラメータを、端末へ、第２フロー分割リンク相関情報に基づき、第２フロー分割リンクに対応する第２アクセス装置を使用することにより、送信し、サービスフローの識別子及び第２サービス品質監視パラメータは、第２フロー分割リンクのサービス品質を監視するために使用される、よう構成される。
【０２６８】
更に別の可能な実装では、通信装置は、端末であり、トランシーバモジュール９０２は、具体的に、サービスフローの識別子、第１サービス品質監視パラメータ、第１フロー分割リンク相関情報、第２サービス品質監視パラメータ、第２フロー分割リンク相関情報を、ユーザプレーン機能ネットワーク要素へ、第１フロー分割リンクに対応する第１アクセス装置又は第２フロー分割リンクに対応する第２アクセス装置を使用することにより、送信するよう構成され、サービスフローの識別子、第１サービス品質監視パラメータ、及び第１フロー分割リンク相関情報は、第１フロー分割リンクのサービス品質を監視するために使用され、サービスフローの識別子、第２サービス品質監視パラメータ、及び第２フロー分割リンク相関情報は、第２フロー分割リンクのサービス品質を監視するために使用される。
【０２６９】
更に別の可能な実装では、通信装置は、端末であり、トランシーバモジュール９０２は、具体的に、サービスフローの識別子、及び第１サービス品質監視パラメータを、ユーザプレーン機能ネットワーク要素へ、第１フロー分割リンク相関情報に基づき、第１フロー分割リンクに対応する第１アクセス装置を使用することにより、送信し、サービスフローの識別子及び第１サービス品質監視パラメータは、第１フロー分割リンクのサービス品質を監視するために使用され、サービスフローの識別子、及び第２サービス品質監視パラメータを、ユーザプレーン機能ネットワーク要素へ、第２フロー分割リンク相関情報に基づき、第２フロー分割リンクに対応する第２アクセス装置を使用することにより、送信し、サービスフローの識別子及び第２サービス品質監視パラメータは、第２フロー分割リンクのサービス品質を監視するために使用される、よう構成される。
【０２７０】
前述の方法の実施形態におけるステップの全部の関連する内容は、対応する機能モジュールの機能説明において引用されてよく、詳細は本願明細書に再び記載されない。
【０２７１】
本実施形態では、通信装置９０は、統合方法で分割を通じて得られた機能モジュールにより表される。「モジュール」は、ここでは、特定のＡＳＩＣ、回路、１つ以上のソフトウェア又はファームウェアプログラムを実行するプロセッサ及びメモリ、集積論理回路、及び／又は前述の機能を提供できる別の装置であってよい。単純な実施形態では、当業者は、通信装置９０が図５に示す形式を使用してよいことを理解し得る。
【０２７２】
例えば、図５のプロセッサ５０１は、メモリ５０３に格納されたコンピュータ実行可能命令を呼び出してよい。その結果、通信装置９０は、前述の方法の実施形態におけるサービス品質監視方法を実行する。
【０２７３】
具体的に、図９の処理モジュール９０１及びトランシーバモジュール９０２の機能／実装処理は、図５のプロセッサ５０１により、メモリ５０３に格納されたコンピュータ実行可能命令を呼び出すことにより、実装されてよい。代替として、図９のトランシーバモジュール９０２の機能／実装処理は、図５の通信装置５０４により実装されてよく、図９の処理モジュール９０１の機能／実装処理は、図５のプロセッサ５０１により、メモリ５０３に格納されたコンピュータ実行可能命令を呼び出すことにより、実装されてよい。
【０２７４】
本実施形態で提供される通信装置９０は、前述のサービス品質監視方法を実行してよい。従って、通信装置９０により達成可能な技術的効果については、前述の方法の実施形態を参照し、詳細は本願明細書に再び記載されない。
【０２７５】
任意で、本願の一実施形態は、チップシステムを更に提供する。チップシステムは、プロセッサを含み、プロセッサは、通信装置が前述のサービス品質監視方法を実装するのをサポートするよう構成され、例えば、端末のサービスフローの識別子、サービスフローと第１フロー分割リンクの第１フロー分割リンク相関情報を伝送する第１フロー分割リンクの第１サービス品質監視パラメータ、及びサービスフローと第２フロー分割リンクの第２フロー分割リンク相関情報を伝送する第２フロー分割リンクの第２サービス品質監視パラメータを取得する。可能な設計では、チップシステムは、メモリを更に含む。メモリは、通信装置のために必要なプログラム命令及びデータを格納するよう構成される。勿論、メモリは、代替として、チップシステム内になくてもよい。チップシステムは、チップを含んでよく、又はチップ及び別の個別素子を含んでよい。これは、本願の本実施形態において具体的に限定されない。
【０２７６】
例えば、機能モジュールが統合方法で分割を通じて得られる場合、図１０は、第１パケット処理装置１００の概略構造図である。第１パケット処理装置１００は、取得モジュール１００１及び相関モジュール１００２を含む。取得モジュール１００１は、端末のサービスフローの識別子、サービスフローと第１フロー分割リンクの第１フロー分割リンク相関情報を伝送する第１フロー分割リンクの第１サービス品質監視パラメータ、及びサービスフローと第２フロー分割リンクの第２フロー分割リンク相関情報を伝送する第２フロー分割リンクの第２サービス品質監視パラメータを取得するよう構成される。相関モジュール１００２は、サービスフローの識別子、第１サービス品質監視パラメータ、第１フロー分割リンク相関情報を相関し、サービスフローの識別子、第２サービス品質監視パラメータ、第２フロー分割リンク相関情報を相関するよう構成される。
【０２７７】
任意で、取得モジュール１００１は、具体的に、サービスフローの識別子、第１サービス品質監視パラメータ、第１フロー分割リンク相関情報、第２サービス品質監視パラメータ、及び第２フロー分割リンク相関情報を、セッション管理ネットワーク要素から受信するよう構成される。
【０２７８】
代替として、任意で、取得モジュール１００１は、具体的に、サービスフローの識別子、第１サービス品質監視パラメータ、第１フロー分割リンク相関情報、第２サービス品質監視パラメータ、及び第２フロー分割リンク相関情報を、第２パケット処理装置から、第１フロー分割リンクに対応する第１アクセス装置又は２フロー分割リンクに対応する第２アクセス装置を使用することにより、受信するよう構成される。
【０２７９】
代替として、任意で、取得モジュール１００１は、具体的に、サービスフローの識別子及び第１サービス品質監視パラメータを、第２パケット処理装置から、第１フロー分割リンクに対応する第１アクセス装置を使用することにより受信し、第１フロー分割リンク相関情報を第１アクセス装置に関する情報に基づき決定し、サービスフローの識別子及び第２サービス品質監視パラメータを、第２パケット処理装置から、第２フロー分割リンクに対応する第２アクセス装置を使用することにより受信し、第２フロー分割リンク相関情報を第２アクセス装置に関する情報に基づき決定するよう構成される。
【０２８０】
任意で、相関モジュール１００２が、サービスフローの識別子、第１サービス品質監視パラメータ、第１フロー分割リンク相関情報を相関することは、サービスフローの識別子、第１サービス品質監視パラメータ、第１フロー分割リンク相関情報の間の対応を格納することを含む。
【０２８１】
任意で、相関モジュール１００２が、サービスフローの識別子、第２サービス品質監視パラメータ、第２フロー分割リンク相関情報を相関することは、ＵＰＦネットワーク要素は、サービスフローの識別子、第２サービス品質監視パラメータ、第２フロー分割リンク相関情報の間の対応を格納することを含む。
【０２８２】
任意で、図１０に示すように、第１パケット処理装置１００は、監視モジュール１００３を更に含む。監視モジュール１００３は、第１フロー分割リンクのサービス品質を、サービスフローの識別子、第１サービス品質監視パラメータ、及び第１フロー分割リンク相関情報に基づき監視するよう構成される、又は、監視モジュール１００３は、第２フロー分割リンクのサービス品質を、サービスフローの識別子、第２サービス品質監視パラメータ、及び第２フロー分割リンク相関情報に基づき監視するよう構成される。
【０２８３】
前述の方法の実施形態におけるステップの全部の関連する内容は、対応する機能モジュールの機能説明において引用されてよく、詳細は本願明細書に再び記載されない。
【０２８４】
本実施形態では、第１パケット処理装置１００は、統合方法で分割を通じて得られた機能モジュールにより表される。「モジュール」は、ここでは、特定のＡＳＩＣ、回路、１つ以上のソフトウェア又はファームウェアプログラムを実行するプロセッサ及びメモリ、集積論理回路、及び／又は前述の機能を提供できる別の装置であってよい。単純な実施形態では、当業者は、通信装置９０が図５に示す形式を使用してよいことを理解し得る。
【０２８５】
例えば、図５のプロセッサ５０１は、メモリ５０３に格納されたコンピュータ実行可能命令を呼び出してよい。その結果、第１パケット処理装置１００は、前述の方法の実施形態におけるサービス品質監視方法を実行する。
【０２８６】
具体的に、図１０の取得モジュール１００１、相関モジュール１００２、及び監視モジュール１００３の機能／実装処理は、図５のプロセッサ５０１により、メモリ５０３に格納されたコンピュータ実行可能命令を呼び出すことにより、実装されてよい。
【０２８７】
本実施形態で提供される第１パケット処理装置１００は、前述のサービス品質監視方法を実行してよい。従って、第１パケット処理装置１００により達成可能な技術的効果については、前述の方法の実施形態を参照し、詳細は本願明細書に再び記載されない。
【０２８８】
任意で、本願の一実施形態は、チップシステムを更に提供する。チップシステムは、プロセッサを含み、プロセッサは、第１パケット処理装置が前述のサービス品質監視方法を実装するのをサポートするよう構成され、例えば、サービスフローの識別子、第１サービス品質監視パラメータ、及び第１フロー分割リンク相関情報を相関し、サービスフローの識別子、第２サービス品質監視パラメータ、及び第２フロー分割リンク相関情報を相関する。可能な設計では、チップシステムは、メモリを更に含む。メモリは、第１パケット処理装置のために必要なプログラム命令及びデータを格納するよう構成される。勿論、メモリは、代替として、チップシステム内になくてもよい。チップシステムは、チップを含んでよく、又はチップ及び別の個別素子を含んでよい。これは、本願の本実施形態において具体的に限定されない。
【０２８９】
前述の実施形態の全部又は一部は、ソフトウェア、ハードウェア、ファームウェア、又はそれらの任意の組み合わせを用いて実装されてよい。実施形態を実装するためにソフトウェアプログラムが使用されるとき、実施形態の全部又は一部は、コンピュータプログラムプロダクトの形式で実装されてよい。コンピュータプログラムプロダクトは、１つ以上のコンピュータ命令を含む。コンピュータプログラム命令は、コンピュータ上にロードされ実行されると、本願の実施形態による手順又は機能が全部又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（digital  subscriber  line,  DSL））又は無線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、ＤＶＤ）、半導体媒体（例えば、固体ドライブ（solid  state  disk,  SSD））等であってよい。
【０２９０】
本願は実施形態を参照して本願明細書に説明されたが、保護を請求する本願を実装する処理において、当業者は、添付の図面、開示の内容、及び添付の特許請求の範囲を見ることにより、開示の実施形態の別の変形を理解し実装し得る。特許請求の範囲において、「含む（comprising）」は、別のコンポーネント又は別のステップを排除せず、「一」又は「１つ」は複数の意味を排除しない。単一のプロセッサ又は別のユニットは、特許請求の範囲に列挙された幾つかの機能を実装してよい。幾つかの手段は、互いに異なる従属請求項に記載されるが、これは、これらの手段がよりよい効果を生成するために結合できないことを意味するものではない。
【０２９１】
本願は特定の特徴及びその実施形態を参照して説明されたが、明会に、種々の変更及び結合が、本願の精神及び範囲から逸脱することなくそれらに対して行われてよいことが明らかである。相応して、本明細書及び添付の図面は、添付の特許請求の範囲により定められる本願の単なる例示的な説明であり、本願の範囲をカバーする任意の又は全部の変更、変形、結合又は均等物として考えられる。明らかに、当業者は、本願の精神及び範囲から逸脱することなく、種々の変更及び変形を本願に対して行うことができる。本願は、本願のこれらの変更及び変形が以下の特許請求の範囲の範囲及びそれらの均等な技術の範囲内に含まれるならば、それらをカバーすることを意図する。
【図１】
2021524204.tif 000003
【図２】
2021524204.tif 000004
【図３】
2021524204.tif 000005
【図４】
2021524204.tif 000006
【図５】
2021524204.tif 000007
【図６Ａ】
2021524204.tif 000008
【図６Ｂ】
2021524204.tif 000009
【図７Ａ】
2021524204.tif 000010
【図７Ｂ】
2021524204.tif 000011
【図８Ａ】
2021524204.tif 000012
【図８Ｂ】
2021524204.tif 000013
【図９】
2021524204.tif 000014
【図１０】
2021524204.tif 000015
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
サービス品質監視方法であって、前記方法は、
第１パケット処理装置により、端末のサービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得するステップと、
前記第１パケット処理装置により、前記サービスフローの前記識別子、前記第１サービス品質監視パラメータ、及び前記第１フロー分割リンク相関情報を相関するステップと、
前記第１パケット処理装置により、前記サービスフローの前記識別子、前記第２サービス品質監視パラメータ、及び前記第２フロー分割リンク相関情報を相関するステップと、
を含む方法。
【請求項２】
前記第１パケット処理装置は、前記端末又はユーザプレーン機能ネットワーク要素を含む、請求項１に記載の方法。
【請求項３】
第１パケット処理装置により、サービスフローの識別子、前記サービスフローと第１フロー分割リンクの第１フロー分割リンク相関情報とを伝送する前記第１フロー分割リンクの第１サービス品質監視パラメータ、前記サービスフローと第２フロー分割リンクの第２フロー分割リンク相関情報とを伝送する前記第２フロー分割リンクの第２サービス品質監視パラメータを取得する前記ステップは、
前記第１パケット処理装置により、前記サービスフローの前記識別子、前記第１サービス品質監視パラメータ、前記第１フロー分割リンク相関情報、前記第２サービス品質監視パラメータ、及び前記第２フロー分割リンク相関情報を、セッション管理ネットワーク要素から、受信するステップ、又は、
前記第１パケット処理装置により、前記サービスフローの前記識別子、前記第１サービス品質監視パラメータ、前記第１フロー分割リンク相関情報、前記第２サービス品質監視パラメータ、及び前記第２フロー分割リンク相関情報を、第２パケット処理装置から、前記第１フロー分割リンクに対応する第１アクセス装置又は前記第２フロー分割リンクに対応する第２アクセス装置を使用することにより、受信するステップ、又は、
前記第１パケット処理装置により、前記サービスフローの前記識別子、及び前記第１サービス品質監視パラメータを、第２パケット処理装置から、前記第１フロー分割リンクに対応する第１アクセス装置を使用することにより、受信し、前記第１フロー分割リンク相関情報を、前記第１アクセス装置に関する情報に基づき決定し、並びに、前記第１パケット処理装置により、前記サービスフローの前記識別子、及び前記第２サービス品質監視パラメータを、前記第２パケット処理装置から、前記第２フロー分割リンクに対応する第２アクセス装置を使用することにより、受信し、前記第２フロー分割リンク相関情報を、前記第２アクセス装置に関する情報に基づき決定するステップ、
を含む、請求項１又は２に記載の方法。
【請求項４】
前記第１パケット処理装置により、前記サービスフローの前記識別子、前記第１サービス品質監視パラメータ、及び前記第１フロー分割リンク相関情報を相関する前記ステップは、
前記第１パケット処理装置により、前記サービスフローの前記識別子、前記第１サービス品質監視パラメータ、及び前記第１フロー分割リンク相関情報の間の対応を格納するステップを含み、
前記第１パケット処理装置により、前記サービスフローの前記識別子、前記第２サービス品質監視パラメータ、及び前記第２フロー分割リンク相関情報を相関する前記ステップは、
前記第１パケット処理装置により、前記サービスフローの前記識別子、前記第２サービス品質監視パラメータ、及び前記第２フロー分割リンク相関情報の間の対応を格納するステップを含む、
請求項１〜３のいずれか一項に記載の方法。
【請求項５】
前記方法は、
前記第１パケット処理装置により、前記第１フロー分割リンクのサービス品質を、前記サービスフローの前記識別子、前記第１サービス品質監視パラメータ、及び前記第１フロー分割リンク相関情報に基づき監視するステップ、又は、
前記第１パケット処理装置により、前記第２フロー分割リンクのサービス品質を、前記サービスフローの前記識別子、前記第２サービス品質監視パラメータ、及び前記第２フロー分割リンク相関情報に基づき監視するステップ、
を更に含む請求項１〜４のいずれか一項に記載の方法。
【請求項６】
前記第１フロー分割リンク相関情報は、前記第１サービス品質監視パラメータが前記第１フロー分割リンクのサービス品質を監視するために使用されることを識別するために使用される情報であり、前記第２フロー分割リンク相関情報は、前記第２サービス品質監視パラメータが前記第２フロー分割リンクのサービス品質を監視するために使用されることを識別するために使用される情報である、請求項１〜５のいずれか一項に記載の方法。
【請求項７】
前記第１フロー分割リンク相関情報は、前記第１フロー分割リンクに対応する第１アクセスタイプ、前記第１フロー分割リンクに対応する第１セッション識別子、前記第１フロー分割リンクに対応する第１トンネル識別子、又は前記第１フロー分割リンクに対応する第１監視識別子を含み、
前記第２フロー分割リンク相関情報は、前記第２フロー分割リンクに対応する第２アクセスタイプ、前記第２フロー分割リンクに対応する第２セッション識別子、前記第２フロー分割リンクに対応する第２トンネル識別子、又は前記第２フロー分割リンクに対応する第２監視識別子を含む、
請求項１〜６のいずれか一項に記載の方法。
【請求項８】
前記サービスフローの前記識別子は、５タプル、前記端末のアドレス、又はサービス品質フロー識別子である、請求項１〜７のいずれか一項に記載の方法。
【請求項９】
前記第１フロー分割リンクに対応する第１アクセスタイプは第３世代パートナーシッププロジェクト（３ＧＰＰ）アクセスであり、前記第２フロー分割リンクに対応する第２アクセスタイプは非３ＧＰＰアクセスである、又は、
前記第１フロー分割リンクに対応する第１アクセスタイプは非３ＧＰＰアクセスであり、前記第２フロー分割リンクに対応する第２アクセスタイプは３ＧＰＰアクセスである、
請求項１〜８のいずれか一項に記載の方法。
【請求項１０】
前記第１パケット処理装置により、前記第１フロー分割リンクのサービス品質を、前記サービスフローの前記識別子、前記第１サービス品質監視パラメータ、及び前記第１フロー分割リンク相関情報に基づき監視する前記ステップは、
前記第１フロー分割リンク相関情報及び前記サービスフローの前記識別子に基づき、前記第1フロー分割リンクの前記サービス品質が監視されるべきであると学習するステップと、
前記第1サービス品質監視パラメータに基づき、前記第1フロー分割リンクの前記サービス品質を監視するために使用される特定の監視パラメータを学習するステップと、
を含む、請求項５に記載の方法。
【請求項１１】
請求項１〜１０のいずれか一項に記載のサービス品質監視方法を実行するよう構成される機器。
【請求項１２】
請求項１〜１０のいずれか一項に記載のサービス品質監視方法を実行するよう構成される機器を含むシステム。
【請求項１３】
コンピュータプログラムを含むコンピュータ可読記憶媒体であって、前記コンピュータプログラムがコンピュータで実行されると、前記コンピュータは、請求項１〜１０のいずれか一項に記載のサービス品質監視方法を実行するようにされる、コンピュータ可読記憶媒体。
【国際調査報告】
2021524204.tif 000016
2021524204.tif 000017
2021524204.tif 000018
2021524204.tif 000019